(57)【要約】  端末が最初に第１の周波数でスタイラスの入力信号を検出することを含むスタイラス検出方法が提供される。次に、端末は、タッチスクリーンを介してスタイラスの第１の入力を受信する。端末は、第１の入力に応答して、第２の周波数でスタイラスの入力信号を検出する。次に、端末が第２の周波数でスタイラスの入力信号を検出し、端末がスタイラスの入力信号を検出しない持続時間が第１の期間よりも大きい場合、端末は、第３の周波数でスタイラスの入力信号を検出する。第２の周波数は第３の周波数よりも大きく、第３の周波数は第１の周波数よりも大きい。このように、スタイラス機能を迅速に実施するときに、端末の消費電力を低減することができる。
2022501739.tif 000002
【特許請求の範囲】
【請求項１】
スタイラス検出方法であって、
端末によって、第１の周波数でスタイラスの入力信号を検出することと、
前記端末によって、タッチスクリーンを介して前記スタイラスの第１の入力を受信することと、
前記端末によって、前記第１の入力に応答して、第２の周波数で前記スタイラスの前記入力信号を検出することと、
前記端末が、前記第２の周波数で前記スタイラスの前記入力信号を検出し、前記端末が前記スタイラスの前記入力信号を検出しない持続時間が第１の期間よりも大きいときに、前記端末によって、第３の周波数で前記スタイラスの前記入力信号を検出することであって、前記第２の周波数は前記第３の周波数よりも大きく、前記第３の周波数は前記第１の周波数よりも大きい、検出することと、を含む、方法。
【請求項２】
当該方法は、前記端末が前記第３の周波数で前記スタイラスの前記入力信号を検出するときに、前記端末が前記スタイラスの前記入力信号を検出しない前記持続時間が第２の期間よりも大きい場合、前記端末によって、前記第１の周波数で前記スタイラスの前記入力信号を検出することを含む、請求項１に記載の方法。
【請求項３】
当該方法、さらに、
前記端末が前記第３の周波数で前記スタイラスの前記入力信号を検出するときに、前記端末が前記スタイラスの第２の入力を受信した場合、前記端末によって、前記スタイラスの前記第２の入力に応答して、前記第２の周波数で前記スタイラスの前記入力信号を検出することを含む、請求項１に記載の方法。
【請求項４】
当該方法は、さらに、
前記端末が前記第２の周波数で前記スタイラスの前記入力信号を検出するときに、前記端末によって、ユーザの第３の入力を受信することと、
前記第３の入力に応答して、前記端末によって、前記タッチスクリーンをオフにし、前記第１の周波数で前記スタイラスの前記入力信号を検出することと、を含む、請求項１に記載の方法。
【請求項５】
当該方法は、さらに、
前記端末によって、前記端末が前記第３の周波数で前記スタイラスの前記入力信号を検出するときに、前記ユーザの第４の入力を受信することと、
前記第４の入力に応答して、前記端末によって、前記タッチスクリーンをオフにし、前記第１の周波数で前記スタイラスの前記入力信号を検出することと、を含む、請求項１に記載の方法。
【請求項６】
前記端末が前記第２の周波数で前記スタイラスの前記入力信号を検出するときに、当該方法は、さらに、
第１の検出状態の前記端末によって、前記タッチスクリーンを介して、ユーザのタッチ入力を検出することであって、前記第１の検出状態において、前記端末は、第４の周波数では相互静電容量検出方式で、第５の周波数では自己静電容量検出方式で前記ユーザの前記タッチ入力を検出する、検出することを含む、請求項１に記載の方法。
【請求項７】
前記端末が前記第３の周波数で前記スタイラスの前記入力信号を検出するときに、当該方法は、さらに、
第２の検出状態の前記端末によって、前記タッチスクリーンを介して、ユーザのタッチ入力を検出することであって、前記第２の検出状態において、前記端末は、第６の周波数では相互静電容量検出方式で、第６の周波数では自己静電容量検出方式で前記ユーザの前記タッチ入力を検出する、検出することを含む、請求項１に記載の方法。
【請求項８】
前記端末が前記タッチスクリーンをオフにするときに、当該方法は、さらに、
前記端末によって、前記ユーザのタッチ入力の検出を停止することを含む、請求項３または４に記載の方法。
【請求項９】
前記方法は、さらに、
前記端末によって、前記端末が前記タッチスクリーンをオフにし、前記第１の周波数で前記スタイラスの前記入力信号を検出するときに、前記スタイラスの第５の入力を受信することと、
前記第５の入力に応答して、前記端末によって、前記第２の周波数で前記スタイラスの前記入力信号を検出し、前記第５の入力の書き込み内容を保存することであって、前記書き込み内容は、前記スタイラスの手書きまたは前記スタイラスの前記手書きから前記端末によって認識されたテキスト情報を含む、ことと、を含む、請求項３または４に記載の方法。
【請求項１０】
前記方法は、さらに、
前記端末によって、前記ユーザの第６の入力を受信することと、
前記第６の入力に応答して、前記端末によって、前記スタイラスの前記入力信号の検出を停止すること、または前記端末によって、前記第１の周波数で前記スタイラスの前記入力信号を検出することと、を含む、請求項１に記載の方法。
【請求項１１】
前記方法は、さらに、
前記端末によって、前記端末が前記スタイラスの前記入力信号の検出を停止するときに、前記ユーザの第７の入力を受信することと、
前記第７の入力に応答して、前記端末によって、前記端末が前記第７の入力を受信する前に前記スタイラスの前記入力信号を受信するかどうかを決定し、前記端末が前記第７の入力を受信する前に前記スタイラスの前記入力信号を受信する場合、前記端末によって、前記第２の周波数で前記スタイラスの前記入力信号を検出すること、またはそうではない場合、前記端末によって、前記第１の周波数で前記スタイラスの前記入力信号を検出することと、を含む、請求項１または９に記載の方法。
【請求項１２】
前記方法は、さらに、
前記端末によって、前記ユーザの第８の入力を受信することと、
前記第８の入力に応答して、前記端末によって、工場設定を復元し、前記第１の周波数で前記スタイラスの前記入力信号を検出することと、を含む、請求項１に記載の方法。
【請求項１３】
前記方法は、さらに、
前記端末によって、前記ユーザの第９の入力を受信することと、
前記第９の入力に応答して、端末によって、再起動することであって、再起動前に前記端末によって前記スタイラスの前記入力信号を検出した周波数は、前記再起動後に前記スタイラスの前記入力信号を検出する検出周波数と同じである、再起動することと、を含む、請求項１に記載の方法。
【請求項１４】
１つ以上のプロセッサと１つ以上のメモリとを含む端末であって、前記１つ以上のメモリは、前記１つ以上のプロセッサに結合され、前記１つ以上のメモリは、コンピュータプログラムコードを記憶するように構成されており、前記コンピュータプログラムコードは、コンピュータ命令を含み、前記１つ以上のプロセッサが前記コンピュータ命令を実行するときに、前記端末は、請求項１〜１３のいずれか一項に記載のスタイラス検出方法を実行する、端末。
【請求項１５】
コンピュータ命令を含むコンピュータ記憶媒体であって、前記コンピュータ命令が端末上で動作するときに、前記端末は、請求項１〜１３のいずれか一項に記載のスタイラス検出方法を実行することが可能となる、コンピュータ記憶媒体。
【請求項１６】
コンピュータプログラム製品であって、当該コンピュータプログラム製品がコンピュータ上で動作するときに、前記コンピュータは、請求項１〜１３のいずれか一項に記載のスタイラス検出方法を実行することが可能となる、コンピュータプログラム製品。
【発明の詳細な説明】
【技術分野】
【０００１】
この出願は、移動通信技術の分野に関し、特にスタイラス検出方法、システムおよび関連装置に関する。
【背景技術】
【０００２】
携帯電話、タブレットなどのモバイルデバイスの普及に伴い、デバイス入力モードの研究がより詳細に行われている。指の動作は、特に、モバイルデバイス上で制限される。指は比較的厚いため、比較的小さなスクリーンに正確かつ迅速に書くことは困難である。その結果、種々のスタイルが出現し、タッチスクリーンに適用される。プロアクティブ容量性スタイラスは、既存の容量性タッチスクリーンシステムのハードウェアに基づく高精度かつ低コストのスタイラスである。
【０００３】
従来のキーボードおよび指入力モードと比較して、スタイラスの出現は、携帯端末の使用効率を大幅に改善し、人々のための出願シナリオを豊かにする。しかしながら、端末のシステム消費電力をいかに低減し、端末のバッテリ寿命をいかに改善するかが、この産業における主な改善の方向である。
【発明の概要】
【０００４】
この出願は、スタイラス機能が迅速に実施されたときに、端末の消費電力を低減するためのスタイラス検出方法、システムおよび関連装置を提供する。
【０００５】
第１の態様によれば、この出願は、端末が、第１の周波数でスタイラスの入力信号を検出することを含むスタイラス検出方法を提供する。次に、端末は、タッチスクリーンを介して前記スタイラスの第１の入力を受信する。端末は、前記第１の入力に応答して、第２の周波数で前記スタイラスの前記入力信号を検出する。次に、端末が、前記第２の周波数で前記スタイラスの前記入力信号を検出し、前記端末が前記スタイラスの前記入力信号を検出しない持続時間が第１の期間よりも大きいときに、前記端末は、第３の周波数で前記スタイラスの前記入力信号を検出する。第２の周波数は第３の周波数よりも大きく、第３の周波数は第１の周波数よりも大きい。
【０００６】
この解決法では、端末は、低周波数（第１の周波数）でスタイラスの入力信号を検出してもよい。スタイラスの入力信号が検出されるときに、端末は、スタイラスの入力信号を検出するために、高周波数（第２の周波数）に迅速に切り替わり、スタイラスを迅速に使用するというユーザ体験を達成することができる。端末が、高周波数（第２の周波数）でスタイラスの入力信号を検出するときに、端末が、一定期間（例えば、３０秒〜６０秒）内にスタイラスの入力信号を検出しない場合、端末は、検出周波数を中間周波数（第３の周波数）に低減し、節電方式でスタイラスの入力信号が再び到達するのを待機することができる。このようにして、スタイラスの入力信号が再び到着するときに、端末は、応答を行うために高周波数（第２の周波数）状態に迅速に戻り、再び到着するスタイラスの入力信号に対応する動作を迅速に実行することができる。これは、ユーザ体験を向上させる。
【０００７】
可能な場合において、前記端末が前記第３の周波数で前記スタイラスの前記入力信号を検出するときに、前記端末が前記スタイラスの前記入力信号を検出しない前記持続時間が第２の期間よりも大きい場合、前記端末は、前記第１の周波数で前記スタイラスの前記入力信号を検出する。換言すれば、スタイラスの入力信号が長時間到着しないときに、端末は、電力消費を低減するために、スタイラスの入力信号の検出周波数を低減することができる。
【０００８】
可能な場合において、前記端末が前記第３の周波数で前記スタイラスの前記入力信号を検出するときに、前記端末が前記スタイラスの第２の入力を受信した場合、前記端末は、前記スタイラスの第２の入力に応答して前記第２の周波数で前記スタイラスの前記入力信号を検出する。換言すれば、スタイラスの入力信号が再び到着するときに、端末はスタイラスの入力信号の検出周波数を増加させて、端末がスタイラスの入力信号に対して対応する応答動作を迅速に実行できるようにすることができる。
【０００９】
可能な場合において、前記端末が前記第２の周波数で前記スタイラスの前記入力信号を検出するときに、前記端末は、ユーザの第３の入力を受信する。前記第３の入力に応答して、前記端末は、前記タッチスクリーンをオフにし、前記第１の周波数で前記スタイラスの前記入力信号を検出する。換言すれば、端末が、高周波数（第２の周波数）でスタイラスの入力信号を検出するときに、端末が、スクリーンオフである場合、端末は、電力消費を低減するために低周波数でスタイラスの入力信号を検出することができ、さらに、ユーザがスクリーンをオフにするときに、スタイラスの入力信号に応答して対応する動作を実行することができ、スタイラスを使用するユーザ体験を向上させることができる。
【００１０】
可能な場合において、端末は、前記端末が前記第３の周波数で前記スタイラスの前記入力信号を検出するときに、前記ユーザの第４の入力を受信する。前記第４の入力に応答して、前記端末は、前記タッチスクリーンをオフにし、前記第１の周波数で前記スタイラスの前記入力信号を検出する換言すれば、端末が、中間周波数（第２の周波数）でスタイラスの入力信号を検出するときに、端末が、スクリーンオフである場合、端末は、電力消費を低減するために低周波数でスタイラスの入力信号を検出することができ、さらに、ユーザがスクリーンをオフにするときにスタイラスの入力信号に応答して対応する動作を実行することができ、スタイラスを使用するユーザ体験を向上させることができる。
【００１１】
可能な場合において、端末が第２の周波数でスタイラスの入力信号を検出するときに、端末は、タッチスクリーンを介して第１の検出状態のユーザのタッチ入力を検出する。第１の検出状態では、端末は、第４の周波数では相互静電容量検出方式で、第５の周波数では自己静電容量検出方式でユーザのタッチ入力を検出する。換言すれば、端末が、高周波数（第２の周波数）でスタイラスの入力信号を検出するときに、端末が、さらに、同時に指タッチ入力を検出して、スタイラスおよび指を介して端末を操作するユーザ体験を向上させることができる。
【００１２】
可能な場合において、端末は、第３の周波数でスタイラスの入力信号を検出するときに、タッチスクリーンを介して第２の検出状態のユーザのタッチ入力を検出する。第２の検出状態では、端末は、第６の周波数では相互静電容量検出方式で、第７の周波数では自己静電容量検出方式でユーザのタッチ入力を検出する。換言すれば、端末が、中間周波数（第２の周波数）でスタイラスの入力信号を検出するときに、端末は、さらに、ユーザが端末を操作しないときに端末の電力消費を低減するために同時に指タッチ入力を検出するか、またはスタイラスの入力信号もしくはタッチ入力が同時に到着するときに、タイムリーに応答することができる。
【００１３】
可能な場合において、端末がタッチスクリーンをオフにするときに、本方法は、さらに、端末が、ユーザのタッチ入力の検出を停止することを含む。換言すれば、スクリーンがオフであるときに、端末は、消費電力を低減するために、ユーザのタッチ入力を検出しなくてもよい。
【００１４】
可能な場合において、端末は、端末がタッチスクリーンをオフにし、第１の周波数でスタイラスの入力信号を検出するときに、スタイラスの第５の入力を受信する。５回目の入力に応答して、端末は、第２の周波数でスタイラスの入力信号を検出し、第５の入力の書き込み内容を保存する。書き込み内容は、スタイラスの手書きまたはスタイラスの手書きから端末によって認識されたテキスト情報を含む。換言すれば、スクリーンがオフであるときに、端末はスタイラスの入力を受信し、スタイラスの書き込み内容を記録することができ、ユーザは書き込み内容をスタイラスで迅速に記録することができるようにする。
【００１５】
可能な場合において、端末は、ユーザの第６の入力を受信する。第６の入力に応答して、端末は、スタイラスの入力信号の検出を停止すること、または端末は、第１の周波数でスタイラスの入力信号を検出する。換言すれば、端末は、ユーザがスタイラスを使用しないときに電力消費を低減するために、ユーザの要求に基づいて、スタイラスの検出を無効にするか、または低周波数でスタイラスを検出することができる。
【００１６】
可能な場合において、端末は、端末がスタイラスの入力信号の検出を停止するときに、ユーザの第７の入力を受信する。第７の入力に応答して、端末は、端末が第７の入力を受信する前にスタイラスの入力信号を受信するかどうかを決定する。はいの場合、端末は、第２の周波数でスタイラスの入力信号を検出する。いいえの場合、端末は、第１の周波数でスタイラスの入力信号を検出する。換言すれば、端末は、スタイラス機能を可能にするためのユーザの操作を受信するときに、端末は、スタイラスの検出周波数を判定するために、ユーザが以前にスタイラスを使用したかどうかを決定する。これによって、消費電力を低減することができる。
【００１７】
可能な場合において、端末は、ユーザの第８の入力を受信する。第８の入力に応答して、端末は、工場設定を復元し、第１の周波数でスタイラスの入力信号を検出する。換言すれば、端末は、工場設定を復元した後に、低周波数（第１の周波数）でスタイラスの入力信号を検出する。
【００１８】
可能な場合において、端末は、ユーザの第９の入力を受信する。第９の入力に応答して、端末は、再起動する。再起動前に前記端末によって前記スタイラスの前記入力信号を検出した周波数は、前記再起動後に前記スタイラスの前記入力信号を検出する検出周波数と同じである。
【００１９】
第２の態様によれば、この出願は、１つ以上のプロセッサおよび１つ以上のメモリを含む端末を提供する。１つ以上のメモリは、１つ以上のプロセッサに結合される。１つ以上のメモリは、コンピュータプログラムコードを記憶するように構成されており、コンピュータプログラムコードは、コンピュータ命令を含む。１つ以上のプロセッサがコンピュータ命令を実行するときに、通信装置は、上記態様のいずれか１つの任意の可能な実施態様に従って、スタイラス検出方法を実行することが可能となる。
【００２０】
第３の態様によれば、この出願の一実施形態は、コンピュータ命令を含むコンピュータ記憶媒体を提供する。コンピュータ命令が電子デバイス上で実行されるときに、通信装置は、上記態様のいずれか１つの任意の可能な実施態様に従って、スタイラス検出方法を実行することが可能となる。
【００２１】
第４の態様によれば、この出願の一実施形態は、コンピュータプログラム製品を提供する。コンピュータプログラム製品がコンピュータ上で動作するときに、コンピュータは、上記態様のいずれか１つの任意の可能な実施態様に従って、スタイラス検出方法を実行することが可能となる。
【図面の簡単な説明】
【００２２】
この出願の実施形態または先行技術における技術的解決策をより明確に説明するために、以下では実施形態または先行技術を説明するための添付図面を簡単に説明する。
【００２３】
【図１】この出願の一実施形態による、電子デバイスの構造の概略図である。
【図２】この出願の一実施形態による、ソフトウェアアーキテクチャの概略図である。
【図３】この出願の一実施形態による、スタイラスシステムのアーキテクチャの概略図である。
【図４】この出願の一実施形態による、端末スクリーンの構造の概略図である。
【図５】この出願の一実施形態による、タッチセンサの概略図である。
【図６ａ】この出願の一実施形態による、スクリーン群の概略図である。
【図６ｂ】この出願の一実施形態による、スクリーン群の概略図である。
【図６ｃ】この出願の一実施形態による、スクリーン群の概略図である。
【図７ａ】この出願の一実施形態による、別のスクリーン群の概略図である。
【図７ｂ】この出願の一実施形態による、別のスクリーン群の概略図である。
【図７ｃ】この出願の一実施形態による、別のスクリーン群の概略図である。
【図８ａ】この出願の一実施形態による、別のスクリーン群の概略図である。
【図８ｂ】この出願の一実施形態による、別のスクリーン群の概略図である。
【図８ｃ】この出願の一実施形態による、別のスクリーン群の概略図である。
【図８ｄ】この出願の一実施形態による、別のスクリーン群の概略図である。
【図９ａ】この出願の一実施形態による、別のスクリーン群の概略図である。
【図９ｂ】この出願の一実施形態による、別のスクリーン群の概略図である。
【図９ｃ】この出願の一実施形態による、別のスクリーン群の概略図である。
【図９ｄ】この出願の一実施形態による、別のスクリーン群の概略図である。
【図１０ａ】この出願の一実施形態による、別のスクリーン群の概略図である。
【図１０ｂ】この出願の一実施形態による、別のスクリーン群の概略図である。
【図１０ｃ】この出願の一実施形態による、別のスクリーン群の概略図である。
【図１０ｄ】この出願の一実施形態による、別のスクリーン群の概略図である。
【図１１ａ】この出願の一実施形態による、別のスクリーン群の概略図である。
【図１１ｂ】この出願の一実施形態による、別のスクリーン群の概略図である。
【図１１ｃ】この出願の一実施形態による、別のスクリーン群の概略図である。
【図１１ｄ】この出願の一実施形態による、別のスクリーン群の概略図である。
【図１２ａ】この出願の一実施形態による、別のスクリーン群の概略図である。
【図１２ｂ】この出願の一実施形態による、別のスクリーン群の概略図である。
【図１２ｃ】この出願の一実施形態による、別のスクリーン群の概略図である。
【図１２ｄ】この出願の一実施形態による、別のスクリーン群の概略図である。
【図１３ａ】この出願の一実施形態による、別のスクリーン群の概略図である。
【図１３ｂ】この出願の一実施形態による、別のスクリーン群の概略図である。
【図１３ｃ】この出願の一実施形態による、別のスクリーン群の概略図である。
【図１３ｄ】この出願の一実施形態による、別のスクリーン群の概略図である。
【図１４ａ】この出願の一実施形態による、別のスクリーン群の概略図である。
【図１４ｂ】この出願の一実施形態による、別のスクリーン群の概略図である。
【図１４ｃ】この出願の一実施形態による、別のスクリーン群の概略図である。
【図１４ｄ】この出願の一実施形態による、別のスクリーン群の概略図である。
【図１５ａ】この出願の一実施形態による、別のスクリーン群の概略図である。
【図１５ｂ】この出願の一実施形態による、別のスクリーン群の概略図である。
【図１６ａ】この出願の一実施形態による、別のスクリーン群の概略図である。
【図１６ｂ】この出願の一実施形態による、別のスクリーン群の概略図である。
【図１７ａ】この出願の一実施形態による、別のスクリーン群の概略図である。
【図１７ｂ】この出願の一実施形態による、別のスクリーン群の概略図である。
【図１８ａ】この出願の一実施形態による、別のスクリーン群の概略図である。
【図１８ｂ】この出願の一実施形態による、別のスクリーン群の概略図である。
【図１８ｃ】この出願の一実施形態による、別のスクリーン群の概略図である。
【図１８ｄ】この出願の一実施形態による、別のスクリーン群の概略図である。
【図１９ａ】この出願の一実施形態による、別のスクリーン群の概略図である。
【図１９ｂ】この出願の一実施形態による、別のスクリーン群の概略図である。
【図１９ｃ】この出願の一実施形態による、別のスクリーン群の概略図である。
【図１９ｄ】この出願の一実施形態による、別のスクリーン群の概略図である。
【図２０】この出願の一実施形態による、別のスタイラスシステムのアーキテクチャの概略図である。
【図２１】この出願の一実施形態による、スタイラスのスマートスイッチの状態の概略図である。
【図２２】この出願の一実施形態による、別のスタイラスのスマートスイッチの状態の概略図である。
【図２３】この出願の一実施形態による、タッチ構成要素の動作状態切替の概略図である。
【図２４】この出願の一実施形態による、スタイラスのスマートスイッチの状態の概略図である。
【図２５】この出願の一実施形態による、スタイラスによって出力される信号の概略図である。
【図２６】この出願の一実施形態による、スタイラス検出方法の概略フローチャートである。
【発明を実施するための形態】
【００２４】
以下は、添付の図面を参照して、この出願の実施形態における技術的解決策を明確に説明する。この出願の実施形態の説明において、「／」とは、特に断らない限り、「または」を意味する。例えば、Ａ／Ｂは、ＡまたはＢを表すことができる。本明細書においては、「および／または」は、関連するオブジェクトを説明するための関連関係のみを説明し、３つの関係が存在し得ることを表す。例えば、Ａおよび／またはＢは、Ａのみが存在し、ＡおよびＢの両方が存在し、Ｂのみが存在することを表すことができる。追加的に、この出願の実施形態の説明においては、「複数の」とは、２以上を意味する。
【００２５】
以下の用語「第１」および「第２」は、単に明細書のために意図したものであって、相対的重要性の表示若しくは暗示、または表示された技術的特徴の数の暗示的表示として理解されるものではない。したがって、「第１」または「第２」によって限定される特徴は、１つ以上の特徴を明示的または暗示的に含むことがある。この出願の実施形態の説明において、別段の記載がない限り、「複数の」とは、２つ以上を意味する。
【００２６】
図１は、電子デバイス１００の構造の概略図である。
【００２７】
図１に示すように、この出願のこの実施形態における端末０１は、電子デバイス１００であってもよい。以下では、この実施形態を具体的に説明するための一例として、電子デバイス１００を使用する。図１に示す電子デバイス１００は、端末０１の一例に過ぎず、電子デバイス１００は、図に示すものよりも構成要素が多いか、または少ない構成要素を有してもよいし、２つ以上の構成要素を組み合わせてもよいし、異なる構成要素を有してもよいと理解されたい。図１に示す種々の構成要素は、１つ以上の信号処理および／または特定用途向け集積回路、ソフトウェア、またはハードウェアとソフトウェアの組み合わせを含むハードウェアで実施することができる。
【００２８】
電子デバイス１００は、プロセッサ１１０、外部メモリインターフェース１２０、内部メモリ１２１、ユニバーサルシリアルバス（ｕｎｉｖｅｒｓａｌ  ｓｅｒｉａｌ  ｂｕｓ、ＵＳＢ）インターフェース１３０、充電管理モジュール１４０、電力管理モジュール１４１、バッテリ１４２、アンテナ１、アンテナ２、移動通信モジュール１５０、無線通信モジュール１６０、オーディオモジュール１７０、スピーカ１７０Ａ、受信機１７０Ｂ、マイクロホン１７０Ｃ、ヘッドセットジャック１７０Ｄ、センサモジュール１８０、キー１９０、モータ１９１、インジケータ１９２、カメラ１９３、ディスプレイ１９４、加入者識別モジュール（ｓｕｂｓｃｒｉｂｅｒ  ｉｄｅｎｔｉｆｉｃａｔｉｏｎ  ｍｏｄｕｌｅ、ＳＩＭ）カードインターフェース１９５などを含んでもよい。センサモジュール１８０は、圧力センサ１８０Ａ、ジャイロセンサ１８０Ｂ、気圧センサ１８０Ｃ、磁気センサ１８０Ｄ、加速度センサ１８０Ｅ、距離センサ１８０Ｆ、光近接センサ１８０Ｇ、指紋センサ１８０Ｈ、温度センサ１８０Ｊ、タッチセンサ１８０Ｋ、周辺光センサ１８０Ｌ、骨伝導センサ１８０Ｍなどを含んでもよい。
【００２９】
この出願のこの実施形態に示される構造は、電子デバイス１００に対する特定の制限を構成しないと理解されよう。この出願の他のいくつかの実施形態では、電子デバイス１００は、図に示されているものよりも多いか、または少ない構成要素を含んでもよいし、いくつかの構成要素が組み合わせられてもよいし、いくつかの構成要素が分割されてもよいし、異なる構成要素の配置が用いられてもよい。図に示す構成要素は、ハードウェア、ソフトウェア、またはソフトウェアとハードウェアの組み合わせによって実施することができる。
【００３０】
プロセッサ１１０は、１つ以上の処理ユニットを含んでもよい。例えば、プロセッサ１１０は、アプリケーションプロセッサ（ａｐｐｌｉｃａｔｉｏｎ  ｐｒｏｃｅｓｓｏｒ、ＡＰ）、モデムプロセッサ、グラフィックス処理ユニット（ｇｒａｐｈｉｃｓ  ｐｒｏｃｅｓｓｉｎｇ  ｕｎｉｔ、ＧＰＵ）、画像信号プロセッサ（ｉｍａｇｅ  ｓｉｇｎａｌ  ｐｒｏｃｅｓｓｏｒ、ＩＳＰ）、コントローラ、メモリ、ビデオコーデック、デジタル信号プロセッサ（ｄｉｇｉｔａｌ  ｓｉｇｎａｌ  ｐｒｏｃｅｓｓｏｒ、ＤＳＰ）、ベースバンドプロセッサ、および／またはニューラルネットワーク処理ユニット（ｎｅｕｒａｌ−ｎｅｔｗｏｒｋ  ｐｒｏｃｅｓｓｉｎｇ  ｕｎｉｔ、ＮＰＵ）を含んでもよい。異なる処理ユニットは、独立した構成要素であってもよいし、１つ以上のプロセッサに統合されてもよい。
【００３１】
コントローラは、電子デバイス１００の中枢センターおよび指令センターであってもよい。コントローラは、命令読み出しおよび命令実行の制御を完了するために、命令動作コードおよび時間シーケンス信号に基づいて動作制御信号を生成することができる。
【００３２】
メモリは、さらに、プロセッサ１１０内に配置されてもよく、命令およびデータを記憶するように構成されている。いくつかの実施形態では、プロセッサ１１０内のメモリはキャッシュメモリである。メモリは、プロセッサ１１０によって使用または周期的に使用された命令またはデータを記憶することができる。プロセッサ１１０が命令またはデータを再び使用する必要がある場合、プロセッサ１１０は、メモリから命令またはデータを直接呼び出して、繰り返されるアクセスを回避し、プロセッサ１１０の待機時間を短縮することができる。これによって、システムの効率が向上する。
【００３３】
いくつかの実施形態において、プロセッサ１１０は、１つ以上のインターフェースを含んでもよい。インターフェースは、集積回路間（ｉｎｔｅｒ−ｉｎｔｅｇｒａｔｅｄ  ｃｉｒｃｕｉｔ、Ｉ２Ｃ）インターフェース、集積回路間サウンド（ｉｎｔｅｒ−ｉｎｔｅｇｒａｔｅｄ  ｃｉｒｃｕｉｔ  ｓｏｕｎｄ、Ｉ２Ｓ）インターフェース、パルスコード変調（ｐｕｌｓｅ  ｃｏｄｅ  ｍｏｄｕｌａｔｉｏｎ、ＰＣＭ）インターフェース、ユニバーサル非同期受信機／送信機（ｕｎｉｖｅｒｓａｌ  ａｓｙｎｃｈｒｏｎｏｕｓ  ｒｅｃｅｉｖｅｒ／ｔｒａｎｓｍｉｔｔｅｒ、ＵＡＲＴ）インターフェース、モバイル産業用プロセッサインターフェース（ｍｏｂｉｌｅ  ｉｎｄｕｓｔｒｙ  ｐｒｏｃｅｓｓｏｒ  ｉｎｔｅｒｆａｃｅ、ＭＩＰＩ）、汎用入出力（ｇｅｎｅｒａｌ−ｐｕｒｐｏｓｅ  ｉｎｐｕｔ／ｏｕｔｐｕｔ、ＧＰＩＯ）インターフェース、加入者識別モジュール（ｓｕｂｓｃｒｉｂｅｒ  ｉｄｅｎｔｉｔｙ  ｍｏｄｕｌｅ、ＳＩＭ）インターフェース、ユニバーサルシリアルバス（ｕｎｉｖｅｒｓａｌ  ｓｅｒｉａｌ  ｂｕｓ、ＵＳＢ）インターフェースなどを含むことができる。
【００３４】
Ｉ２Ｃインターフェースは、双方向同期シリアルバスであり、シリアルデータライン（ｓｅｒｉａｌ  ｄａｔａ  ｌｉｎｅ、ＳＤＡ）およびシリアルクロックライン（（ｄｅｒａｉｌ  ｃｌｏｃｋ  ｌｉｎｅ、ＳＣＬ）を含む。いくつかの実施形態において、プロセッサ１１０は、複数のＩ２Ｃバス群を含んでもよい。プロセッサ１１０は、異なるＩ２Ｃバスインターフェースを介して、タッチセンサ１８０Ｋ、充電器、フラッシュ、カメラ１９３などに別々に結合されてもよい。例えば、プロセッサ１１０は、Ｉ２Ｃインターフェースを介してタッチセンサ１８０Ｋに結合されてもよく、プロセッサ１１０は、Ｉ２Ｃバスインターフェースを介してタッチセンサ１８０Ｋと通信して、電子デバイス１００のタッチ機能を実施してもよい。
【００３５】
Ｉ２Ｓインターフェースは、オーディオ通信を行うように構成されてもよい。いくつかの実施形態において、プロセッサ１１０は、複数のＩ２Ｓバス群を含んでもよい。プロセッサ１１０は、プロセッサ１１０とオーディオモジュール１７０との間の通信を実施するために、Ｉ２Ｓバスを介してオーディオモジュール１７０に結合されてもよい。いくつかの実施形態では、オーディオモジュール１７０は、ブルートゥースヘッドセットを介してコールに応答する機能を実施するために、Ｉ２Ｓインターフェースを介してオーディオ信号を無線通信モジュール１６０に送信してもよい。
【００３６】
また、ＰＣＭインターフェースは、オーディオ通信、およびサンプル、量子化、およびアナログ信号のコード化を実行するように構成されてもよい。いくつかの実施形態では、オーディオモジュール１７０は、ＰＣＭバスインターフェースを介して無線通信モジュール１６０に結合されてもよい。いくつかの実施形態では、オーディオモジュール１７０は、ＰＣＭインターフェースを介して無線通信モジュール１６０にオーディオ信号を送信して、ブルートゥースヘッドセットを介してコールに応答する機能を実施してもよい。Ｉ２ＳインターフェースとＰＣＭインターフェースの両方とも、オーディオ通信を実行するように構成されてもよい。
【００３７】
ＵＡＲＴインターフェースはユニバーサルシリアルデータバスであり、非同期通信を実行するように構成されている。バスは、双方向通信バスであってもよく、シリアル通信とパラレル通信との間で送信されるべきデータを変換する。いくつかの実施形態では、ＵＡＲＴインターフェースは、通常、プロセッサ１１０を無線通信モジュール１６０に接続するように構成されている。例えば、プロセッサ１１０は、ブルートゥース機能を実施するために、ＵＡＲＴインターフェースを介して無線通信モジュール１６０内のブルートゥースモジュールと通信する。いくつかの実施形態では、オーディオモジュール１７０は、ブルートゥースヘッドセットを介して音楽を再生する機能を実施するために、ＵＡＲＴインターフェースを介してオーディオ信号を無線通信モジュール１６０に送信してもよい。
【００３８】
ＭＩＰＩインターフェースは、プロセッサ１１０をディスプレイ１９４、カメラ１９３などの周辺構成要素に接続するように構成されてもよい。ＭＩＰＩインターフェースは、カメラシリアルインターフェース（ｃａｍｅｒａ  ｓｅｒｉａｌ  ｉｎｔｅｒｆａｃｅ、ＣＳＩ）、ディスプレイシリアルインターフェース（ｄｉｓｐｌａｙ  ｓｅｒｉａｌ  ｉｎｔｅｒｆａｃｅ、ＤＳＩ）などを含む。いくつかの実施形態では、プロセッサ１１０は、ＣＳＩインターフェースを介してカメラ１９３と通信し、電子デバイス１００の写真撮影機能を実施する。プロセッサ１１０は、電子デバイス１００の表示機能を実施するために、ＤＳＩインターフェースを介してディスプレイ１９４と通信する。
【００３９】
ＧＰＩＯインターフェースは、ソフトウェアによって構成されてもよい。ＧＰＩＯインターフェースは、制御信号として構成されてもよいし、データ信号として構成されてもよい。いくつかの実施形態では、ＧＰＩＯインターフェースは、プロセッサ１１０をカメラ１９３、ディスプレイ１９４、無線通信モジュール１６０、オーディオモジュール１７０、センサモジュール１８０などに接続するように構成されてもよい。ＧＰＩＯインターフェースは、Ｉ２Ｃインターフェース、Ｉ２Ｓインターフェース、ＵＡＲＴインターフェース、ＭＩＰＩインターフェースなどとして構成されてもよい。
【００４０】
ＵＳＢインターフェース１３０は、ＵＳＢ標準仕様に準拠したインターフェースであり、具体的には、ミニＵＳＢインターフェース、マイクロＵＳＢインターフェース、ＵＳＢタイプＣインターフェースなどであってもよい。ＵＳＢインターフェース１３０は、電子デバイス１００を充電するために充電器に接続するように構成されてもよいし、電子デバイス１００と周辺デバイスとの間でデータ伝送を実行するように構成されてもよいし、ヘッドセットを介してオーディオを再生するためにヘッドセットに接続するように構成されてもよい。インターフェースは、さらに、ＡＲデバイスなどの別の電子デバイスに接続するように構成されてもよい。
【００４１】
本発明のこの実施形態で示されるモジュール間のインターフェース接続関係は、単なる説明のための例であり、電子デバイス１００の構造に対する制限を構成しないと理解されよう。この出願のいくつかの他の実施形態では、電子デバイス１００は、代替的に、前述の実施形態とは異なるインターフェース接続方式、または複数のインターフェース接続方式の組み合わせを使用してもよい。
【００４２】
充電管理モジュール１４０は、充電器からの充電入力を受信するように構成されている。充電器は、無線充電器または有線充電器であってもよい。有線充電のいくつかの実施形態では、充電管理モジュール１４０は、ＵＳＢインターフェース１３０を介して有線充電器からの充電入力を受信してもよい。無線充電のいくつかの実施形態では、充電管理モジュール１４０は、電子デバイス１００の無線充電コイルを介して無線充電入力を受信してもよい。充電管理モジュール１４０は、バッテリ１４２を充電しながら、電力管理モジュール１４１を介して電子デバイスに電力を供給する。
【００４３】
電力管理モジュール１４１は、バッテリ１４２、充電管理モジュール１４０、およびプロセッサ１１０を接続するように構成されている。電力管理モジュール１４１は、バッテリ１４２および／または充電管理モジュール１４０から入力を受信し、プロセッサ１１０、内部メモリ１２１、外部メモリ、ディスプレイ１９４、カメラ１９３、無線通信モジュール１６０などに電力を供給する。電力管理モジュール１４１は、さらに、バッテリ容量、バッテリサイクル数、バッテリ状態（漏電またはインピーダンス）などのパラメータを監視するように構成されてもよい。いくつかの他の実施形態では、電力管理モジュール１４１は、代替的にプロセッサ１１０内に配置されてもよい。いくつかの他の実施形態では、電力管理モジュール１４１および充電管理モジュール１４０は、代替的に、同じデバイス内に配置されてもよい。
【００４４】
電子デバイス１００の無線通信機能は、アンテナ１、アンテナ２、移動通信モジュール１５０、無線通信モジュール１６０、モデムプロセッサ、ベースバンドプロセッサなどを介して実施されてもよい。
【００４５】
アンテナ１およびアンテナ２は、電磁波信号を送受信するように構成されている。電子デバイス１００内の各アンテナは、１つ以上の通信周波数帯域をカバーするように構成されてもよい。アンテナの利用を改善するために、異なるアンテナをさらに多重化してもよい。例えば、アンテナ１は、無線ローカルエリアネットワーク内のダイバーシチアンテナとして多重化されてもよい。いくつかの他の実施形態において、アンテナは、同調スイッチと組み合わせて使用されてもよい。
【００４６】
移動通信モジュール１５０は、２Ｇ／３Ｇ／４Ｇ／５Ｇなどを含み、電子デバイス１００に適用される無線通信ソリューションを提供してもよい。移動通信モジュール１５０は、少なくとも１つのフィルタ、スイッチ、電力増幅器、低ノイズ増幅器（ｌｏｗ  ｎｏｉｓｅ  ａｍｐｌｉｆｉｅｒ、ＬＮＡ）などを含んでもよい。移動通信モジュール１５０は、アンテナ１を介して電磁波を受信し、受信電磁波に対するフィルタリング、増幅などの処理を実行し、復調のためにモデムプロセッサに電磁波を送信してもよい。移動通信モジュール１５０は、モデムプロセッサによって変調された信号をさらに増幅し、アンテナ１を介して放射するために信号を電磁波に変換することができる。いくつかの実施形態では、移動通信モジュール１５０内の少なくともいくつかの機能モジュールは、プロセッサ１１０内に配置されてもよい。いくつかの実施形態では、移動通信モジュール１５０内の少なくともいくつかの機能モジュールおよびプロセッサ１１０内の少なくともいくつかのモジュールは、同じ構成要素内に配置されてもよい。
【００４７】
モデムプロセッサは、変調器および復調器を含んでもよい。変調器は、送信されるべき低周波数ベースバンド信号を中間周波数または高周波数信号に変調するように構成されている。復調器は、受信電磁波信号を低周波数ベースバンド信号に復調するように構成されている。次に、復調器は、復調を介して取得された低周波数ベースバンド信号を処理のためにベースバンドプロセッサに転送する。低周波数ベースバンド信号は、ベースバンドプロセッサによって処理され、次に、アプリケーションプロセッサに転送される。アプリケーションプロセッサは、オーディオデバイス（スピーカ１７０Ａ、受信機１７０Ｂなどに限定されない）を介して音声信号を出力するか、またはディスプレイ１９４を介して画像またはビデオを表示する。いくつかの実施形態では、モデムプロセッサは、独立した構成要素であってもよい。いくつかの他の実施形態では、モデムプロセッサは、プロセッサ１１０から独立していてもよく、移動通信モジュール１５０または別の機能モジュールと同じ構成要素内に配置される。
【００４８】
無線通信モジュール１６０は、無線ローカルエリアネットワーク（ｗｉｒｅｌｅｓｓ  ｌｏｃａｌ  ａｒｅａ  ｎｅｔｗｏｒｋ、ＷＬＡＮ）  （例えば、無線フィデリティ（ｗｉｒｅｌｅｓｓ  ｆｉｄｅｌｉｔｙ、Ｗｉ−Ｆｉ）ネットワーク）、ブルートゥース（ｂｌｕｅｔｏｏｔｈ、ＢＴ）、グローバルナビゲーション衛星システム（ｇｌｏｂａｌ  ｎａｖｉｇａｔｉｏｎ  ｓａｔｅｌｌｉｔｅ  ｓｙｓｔｅｍ、ＧＮＳＳ）、周波数変調（ｆｒｅｑｕｅｎｃｙ  ｍｏｄｕｌａｔｉｏｎ、ＦＭ）、近接場通信（ｎｅａｒ  ｆｉｅｌｄ  ｃｏｍｍｕｎｉｃａｔｉｏｎ、ＮＦＣ）、赤外線（ｉｎｆｒａｒｅｄ、ＩＲ）技術などを含み、電子デバイス１００に適用される無線通信ソリューションを提供してもよい。無線通信モジュール１６０は、少なくとも１つの通信プロセッサモジュールを統合する１つ以上の構成要素であってもよい。無線通信モジュール１６０は、アンテナ２を介して電磁波を受信し、電磁波信号に対して周波数変調およびフィルタ処理を実行し、処理された信号をプロセッサ１１０に送信する。無線通信モジュール１６０は、さらに、プロセッサ１１０から送られるべき信号を受信し、その信号に対して周波数変調および増幅を実行し、アンテナ２を介した放射のためにその信号を電磁波に変換してもよい。
【００４９】
いくつかの実施形態では、電子デバイス１００内のアンテナ１および移動通信モジュール１５０は結合され、電子デバイス１００内のアンテナ２および無線通信モジュール１６０は結合され、電子デバイス１００は、無線通信技術を介してネットワークおよび他のデバイスと通信することができるようにする。無線通信技術は、移動通信のためのグローバルシステム（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ）、一般パケット無線サービス（ｇｅｎｅｒａｌ  ｐａｃｋｅｔ  ｒａｄｉｏ  ｓｅｒｖｉｃｅ、ＧＰＲＳ）、符号分割多元接続（ｃｏｄｅ  ｄｉｖｉｓｉｏｎ  ｍｕｌｔｉｐｌｅ  ａｃｃｅｓｓ、ＣＤＭＡ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）、時分割符号分割多元接続（ｔｉｍｅ−ｄｉｖｉｓｉｏｎ  ｃｏｄｅ  ｄｉｖｉｓｉｏｎ  ｍｕｌｔｉｐｌｅ  ａｃｃｅｓｓ、ＴＤ−ＳＣＤＭＡ）、ロング・ターム・エボリューション（ｌｏｎｇ  ｔｅｒｍ  ｅｖｏｌｕｔｉｏｎ、ＬＴＥ）、ＢＴ、ＧＮＳＳ、ＷＬＡＮ、ＮＦＣ、ＦＭ、ＩＲ技術などを含んでもよい。ＧＮＳＳは、全地球測位システム（ｇｌｏｂａｌ  ｐｏｓｉｔｉｏｎｉｎｇ  ｓｙｓｔｅｍ、ＧＰＳ）、全地球航法衛星システム（ｇｌｏｂａｌ  ｎａｖｉｇａｔｉｏｎ  ｓａｔｅｌｌｉｔｅ  ｓｙｓｔｅｍ、ＧＬＯＮＡＳＳ）、ＢｅｉＤｏｕ航法衛星システム（ｂｅｉｄｏｕ  ｎａｖｉｇａｔｉｏｎ  ｓａｔｅｌｌｉｔｅ  ｓｙｓｔｅｍ、ＢＤＳ）、準天頂衛星システム（ｑｕａｓｉ−ｚｅｎｉｔｈ  ｓａｔｅｌｌｉｔｅ  ｓｙｓｔｅｍ、ＱＺＳＳ）、および／または衛星ベース増強システム（ｓｙｓｔｅｍ  ｓａｔｅｌｌｉｔｅ  ｂａｓｅｄ  ａｕｇｍｅｎｔａｔｉｏｎ  ｓｙｓｔｅｍｓ、ＳＢＡＳ）を含んでもよい。
【００５０】
電子デバイス１００は、ＧＰＵ、ディスプレイ１９４、アプリケーションプロセッサ等を介してディスプレイ機能を実施する。ＧＰＵは画像処理のためのマイクロプロセッサであり、ディスプレイ１９４およびアプリケーションプロセッサに接続される。ＧＰＵは、数学的および幾何学的計算を実行するように構成されており、画像をレンダリングするように構成されている。プロセッサ１１０は、表示情報を生成または変更するためのプログラム命令を実行する１つ以上のＧＰＵを含んでもよい。
【００５１】
ディスプレイ１９４は、画像、ビデオなどを表示するように構成されている。ディスプレイ１９４は、ディスプレイパネルを含む。表示パネルは、液晶ディスプレイ（ｌｉｑｕｉｄ  ｃｒｙｓｔａｌ  ｄｉｓｐｌａｙ、ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、アクティブマトリックス有機発光ダイオード（ａｃｔｉｖｅ−ｍａｔｒｉｘ  ｏｒｇａｎｉｃ  ｌｉｇｈｔ  ｅｍｉｔｔｉｎｇ  ｄｉｏｄｅ、ＡＭＯＬＥＤ）、フレキシブル発光ダイオード（ｆｌｅｘ  ｌｉｇｈｔ−ｅｍｉｔｔｉｎｇ  ｄｉｏｄｅ、ＦＬＥＤ）、ミニＬＥＤ、マイクロＬＥＤ、マイクロＯＬＥＤ、量子ドット発光ダイオード（ｑｕａｎｔｕｍ  ｄｏｔ  ｌｉｇｈｔ  ｅｍｉｔｔｉｎｇ  ｄｉｏｄｅｓ、ＱＬＥＤ）などであってもよい。一部の実施形態では、電子デバイス１００は、１つまたはＮ個のディスプレイ１９４を含んでもよい。Ｎは、１よりも大きい正の整数である。
【００５２】
電子デバイス１００は、ＩＳＰ、カメラ１９３、ビデオコーデック、ＧＰＵ、ディスプレイ１９４、アプリケーションプロセッサなどを介して撮影機能を実施することができる。
【００５３】
ＩＳＰは、カメラ１９３によってフィードバックされたデータを処理するように構成されている。例えば、撮影中にシャッタを押し、レンズを介して光線がカメラの感光要素に送信させ、光信号が電気信号に変換される。カメラの感光要素は、処理のためにＩＳＰに電気信号を伝送し、電気信号を可視画像に変換する。ＩＳＰはさらに、画像のノイズ、輝度、および様相に関してアルゴリズム最適化を実行してもよい。ＩＳＰはさらに、撮影シナリオの露光および色温度などのパラメータを最適化することができる。いくつかの実施形態において、ＩＳＰは、カメラ１９３内に配置されてもよい。
【００５４】
カメラ１９３は、静止画像またはビデオを取り込むように構成されている。物体の光学像は、レンズを介して生成され、感光要素に投影される。感光素子は、電荷結合素子（ｃｈａｒｇｅ  ｃｏｕｐｌｅｄ  ｄｅｖｉｃｅ、ＣＣＤ）または相補型金属酸化物半導体（ｃｏｍｐｌｅｍｅｎｔａｒｙ  ｍｅｔａｌ−ｏｘｉｄｅ−ｓｅｍｉｃｏｎｄｕｃｔｏｒ、ＣＭＯＳ）フォトトランジスタであってもよい。感光素子は、光信号を電気信号に変換し、次に、電気信号をＩＳＰに送信して、電気信号をデジタル画像信号に変換する。ＩＳＰは、デジタル画像信号を処理のためにＤＳＰに出力する。ＤＳＰは、デジタル画像信号をＲＧＢまたはＹＵＶのような標準フォーマットの画像信号に変換する。いくつかの実施形態では、電子デバイス１００は、１つまたはＮ個のカメラ１９３を含んでもよい。Ｎは、１よりも大きい正の整数である。。
【００５５】
デジタル信号プロセッサは、デジタル信号を処理するように構成されており、デジタル画像信号に加えて別のデジタル信号を処理してもよい。例えば、電子デバイス１００が周波数を選択すると、デジタル信号プロセッサは、周波数エネルギーに対してフーリエ変換を実行するように構成されている。
【００５６】
ビデオコーデックは、デジタルビデオを圧縮または解凍するように構成されている。電子デバイス１００は、１つ以上のビデオコーデックをサポートしてもよい。このようにして、電子デバイス１００は、複数のコーディングフォーマットのビデオ、例えば、動画エキスパートグループ（ｍｏｖｉｎｇ  ｐｉｃｔｕｒｅ  ｅｘｐｅｒｔｓ  ｇｒｏｕｐ、ＭＰＥＧ）１、ＭＰＥＧ  ２、ＭＰＥＧ  ３、およびＭＰＥＧ  ４を再生または記録することができる。
【００５７】
ＮＰＵは、ニューラルネットワーク（ｎｅｕｒａｌ−ｎｅｔｗｏｒｋ、ＮＮ）計算プロセッサであり、例えば、ヒト脳ニューロン間の転送モードを参照することによって、生物学的ニューラルネットワークの構造を参照することにより入力情報を迅速に処理し、さらに、自己学習を継続的に実行してもよい。電子デバイス１００のインテリジェント認知などのアプリケーションは、例えば、画像認識、顔認識、音声認識、およびテキスト認識などのＮＰＵを介して実施されてもよい。
【００５８】
外部メモリインターフェース１２０は、電子デバイス１００の記憶能力を拡張するために、外部メモリカード、例えばマイクロＳＤカードに接続するように構成されてもよい。外部メモリカードは、データ記憶機能を実現するために、外部メモリインターフェース１２０を介してプロセッサ１１０と通信する。例えば、音楽やビデオは外部記憶カードに記憶される。
【００５９】
内部メモリ１２１は、コンピュータ実行可能なプログラムコードを記憶するように構成されてもよく、実行可能プログラムコードは、命令を含む。プロセッサ１１０は、内部メモリ１２１に記憶された命令を動作させて、電子デバイス１００の種々の機能アプリケーションを実行し、データを処理する。内部メモリ１２１は、プログラム記憶領域およびデータ記憶領域を含んでもよい。プログラム記憶領域は、オペレーティングシステム、少なくとも１つの機能（例えば、音声再生機能または画像再生機能）によって必要とされるアプリケーションなどを記憶してもよい。データ記憶領域は、電子デバイス１００の使用中に生成されたデータ（オーディオデータおよびアドレスブックなど）などを記憶してもよい。追加的に、内部メモリ１２１は、さらに、高速ランダムアクセスメモリを含んでもよく、不揮発性メモリ、例えば、少なくとも１つの磁気ディスク記憶デバイス、フラッシュメモリデバイス、またはユニバーサルフラッシュ記憶デバイス（ｕｎｉｖｅｒｓａｌ  ｆｌａｓｈ  ｓｔｏｒａｇｅ、ＵＦＳ）を含んでもよい。
【００６０】
電子デバイス１００は、オーディオ機能、例えば、オーディオモジュール１７０、スピーカ１７０Ａ、受信機１７０Ｂ、マイクロホン１７０Ｃ、ヘッドセットジャック１７０Ｄ、アプリケーションプロセッサなどを介して、音楽の再生および録音を実施してもよい。
【００６１】
オーディオモジュール１７０は、デジタルオーディオ情報を出力のためにアナログオーディオ信号に変換するように構成されており、また、アナログオーディオ入力をデジタルオーディオ信号に変換するように構成されている。オーディオモジュール１７０は、さらに、オーディオ信号を符号化および復号するように構成されてもよい。いくつかの実施形態では、オーディオモジュール１７０は、プロセッサ１１０内に配置されてもよく、またはオーディオモジュール１７０内のいくつかの機能モジュールは、プロセッサ１１０内に配置される。
【００６２】
スピーカ１７０Ａは、「ホーン」とも呼ばれ、オーディオ電気信号を音信号に変換するように構成されている。電子デバイス１００は、スピーカ１７０Ａを介して、音楽を聞いたり、ハンズフリー通話に応答したりしてもよい。
【００６３】
受信機１７０Ｂは、「イヤピース」とも呼ばれ、音声電気信号を音声信号に変換するように構成されている。電子デバイス１００がコールに応答するとき、または音声情報を受信するときに、受信機１７０Ｂは、音声を聴くために人間の耳の近くに置かれてもよい。
【００６４】
「マイク」または「マイクロホン」とも呼ばれるマイクロホン１７０Ｃは、音信号を電気信号に変換するように構成されている。コールや音声情報をなすときに、ユーザは、マイクロホン１７０Ｃの近くで人間の口を動かして音を発して、マイクロホン１７０Ｃに音信号を入力してもよい。少なくとも１つのマイクロホン１７０Ｃが、電子デバイス１００内に配置されてもよい。いくつかの他の実施形態では、２つのマイクロホン１７０Ｃを電子デバイス１００内に配置して、音信号を収集し、ノイズ低減機能を実施してもよい。他のいくつかの実施形態では、３つ、４つ、またはそれ以上のマイクロホン１７０Ｃが、電子デバイス１００内に代替的に配置されて、音信号を収集し、ノイズを低減し、音源をさらに識別し、方向性記録機能などを実施してもよい。
【００６５】
ヘッドセットジャック１７０Ｄは、有線ヘッドセットに接続するように構成されている。ヘッドセットジャック１７０Ｄは、ＵＳＢインターフェース１３０であってもよいし、３．５ｍｍのオープン移動端末プラットフォーム（ｏｐｅｎ  ｍｏｂｉｌｅ  ｔｅｒｍｉｎａｌ  ｐｌａｔｆｏｒｍ、ＯＭＴＰ）標準インターフェース、または、米国のセルラー通信業界協会（ｃｅｌｌｕｌａｒ  ｔｅｌｅｃｏｍｍｕｎｉｃａｔｉｏｎｓ  ｉｎｄｕｓｔｒｙ  ａｓｓｏｃｉａｔｉｏｎ  ｏｆ  ｔｈｅ  ＵＳＡ、ＣＴＩＡ）標準インターフェースであってもよい。
【００６６】
圧力センサ１８０Ａは、圧力信号を感知するように構成されており、圧力信号を電気信号に変換することができる。いくつかの実施形態において、圧力センサ１８０Ａは、ディスプレイ１９４上に配置されてもよい。圧力センサ１８０Ａには、抵抗圧力センサ、誘導圧力センサ、容量性圧力センサなど、多くのタイプがある。容量性圧力センサは、導電性材料で作製された少なくとも２つの平行プレートを含んでもよい。圧力センサ１８０Ａに力が加えられると、電極間の静電容量が変化する。電子デバイス１００は、静電容量変化に基づいて圧力強度を決定する。タッチ操作がディスプレイ１９４上で実行されるときに、電子デバイス１００は、圧力センサ１８０Ａを介してタッチ操作の強度を検出する。電子デバイス１００はまた、圧力センサ１８０Ａの検出信号に基づいてタッチ位置を計算してもよい。いくつかの実施形態では、同じタッチ位置で実行されるが、異なるタッチ操作強度を有するタッチ操作は、異なる操作命令に対応してもよい。例えば、ＳＭＳメッセージアプリケーションアイコンで、タッチ操作強度が第１の圧力閾値よりも小さいタッチ操作が実行されるときに、ＳＭＳメッセージの閲覧指示が実行される。ＳＭＳメッセージアプリケーションアイコンで、タッチ操作強度が第１の圧力閾値よりも大きいタッチ操作が実行されるときに、新しいＳＭＳを作成するための指示が実行される。
【００６７】
ジャイロセンサ１８０Ｂは、電子デバイス１００の運動姿勢を決定するように構成されてもよい。いくつかの実施形態では、３つの軸（すなわち、ｘ、ｙ、およびｚ軸）を中心とする電子デバイス１００の角速度は、ジャイロセンサ１８０Ｂを介して決定されてもよい。ジャイロセンサ１８０Ｂは、撮影中に手ぶれ補正を実行するように構成されてもよい。例えば、シャッタが押されるときに、ジャイロセンサ１８０Ｂは、電子デバイス１００がジッタを発生させる角度を検出し、レンズモジュールが補償する必要がある距離を角度に基づいた計算を介して取得し、レンズが、反転運動によって電子デバイス１００のジッタをキャンセルすることを可能にして、画像安定化を実施する。ジャイロセンサ１８０Ｂはまた、ナビゲーションシナリオおよび身体ゲームシナリオにおいて使用されてもよい。
【００６８】
気圧センサ１８０Ｃは、大気圧を測定するように構成されている。いくつかの実施形態では、電子デバイス１００は、位置決めおよびナビゲーションを支援するために、気圧センサ１８０Ｃによって測定された大気圧の値に基づいて高度を計算する。
【００６９】
磁気センサ１８０Ｄは、ホールセンサを含む。電子デバイス１００は、磁気センサ１８０Ｄを介してフリップレザーケースの開閉を検出してもよい。いくつかの実施形態では、電子デバイス１００がクラムシェル電話であるときに、電子デバイス１００は、磁気センサ１８０Ｄに基づいてフリップカバーの開閉を検出してもよい。また、検出された皮革ケースの開閉状態や検出されたフリップカバーの開閉状態に基づき、フリップカバーの自動ロック解除などの機能を設定する。
【００７０】
加速度センサ１８０Ｅは、電子デバイス１００の種々の方向（通常は３軸）における加速度の大きさを検出してもよいし、電子デバイス１００が静止しているときに重力の大きさおよび方向を検出してもよい。加速度センサ３８０Ｅは、さらに、電子デバイスの姿勢を識別するように構成されてもよく、横向きと縦向きとの間の切り替え、歩数計などのアプリケーションに適用される。
【００７１】
距離センサ１８０Ｆは、距離を測定するように構成されている。電子デバイス１００は、距離を赤外線またはレーザ方式で測定してもよい。いくつかの実施形態では、撮影シナリオにおいて、電子デバイス１００は、迅速な焦点合わせを実施するために、距離センサ１８０Ｆを介して距離を測定してもよい。
【００７２】
例えば、光近接センサ１８０Ｇは、発光ダイオード（ＬＥＤ）および光検出器、例えば、フォトダイオードを含んでもよい。発光ダイオードは、赤外線発光ダイオードであってもよい。電子デバイス１００は、発光ダイオードを介して赤外線を放射する。電子デバイス１００は、フォトダイオードを介して近傍の物体からの赤外線反射光を検出する。十分な反射光を検出するときに、電子デバイス１００は、電子デバイス１０１の近くに物体が存在すると決定してもよい。不十分な反射光を検出するときに、電子デバイス１００は、電子デバイス１００の近くに物体が存在しないと決定してもよい。電子デバイス１００は、光近接センサ１８０Ｇを介して、ユーザが電子デバイス１００を耳の近くに保持してコールを行うことを検出して、電力節約のためにスクリーンオフを自動的に実行してもよい。光近接センサ１８０Ｇはまた、スクリーンを自動的にアンロックまたはロックするために、フリップカバーモードまたはポケットモードで使用されてもよい。
【００７３】
周囲光センサ１８０Ｌは、周囲光の輝度を感知するように構成されている。電子デバイス１００は、感知された周囲光の輝度に基づいてディスプレイスクリーン１９４の輝度を適応的に調整してもよい。周辺光センサ１８０Ｌはまた、撮影中にホワイトバランスを自動的に調整するように構成されてもよい。周囲光センサ１８０Ｌはまた、偶発的なタッチを回避するために、電子デバイス１００がポケットに入っているかどうかを検出するために、光近接センサ１８０Ｇと協働してもよい。
【００７４】
指紋センサ１８０Ｈは、指紋を収集するように構成されている。電子デバイス１００は、収集された指紋の特徴を使用して、指紋ベースのアンロック、アプリケーションロックアクセス、指紋ベースの撮影、指紋ベースのコール応答などを実施してもよい。
【００７５】
温度センサ１８０Ｊは、温度を検出するように構成されている。いくつかの実施形態では、電子デバイス１００は、温度センサ１８０Ｊによって検出された温度に基づいて温度処理方針を実行する。例えば、温度センサ１８０Ｊによって報告された温度が閾値を超えるときに、電子デバイス１００は、温度センサ１８０Ｊの近くに位置するプロセッサの性能を低下させて、熱保護を実施するための電力消費を低減する。いくつかの他の実施形態では、温度が別の閾値未満であるときに、電子デバイス１００は、低温のために電子デバイス１００が異常にシャットダウンされるのを防止するために、バッテリ１４２を加熱する。いくつかの他の実施形態では、温度がさらに別の閾値未満である場合、電子デバイス１００は、低温によって引き起こされる異常なシャットダウンを回避するために、バッテリ１４２の出力電圧を上昇させる。
【００７６】
タッチセンサ１８０Ｋは、「タッチパネル」とも呼ばれる。タッチセンサ１８０Ｋは、ディスプレイ１９４上に配置されてもよい。タッチセンサ１８０Ｋおよびディスプレイ１９４は、「タッチスクリーン」とも呼ばれるタッチスクリーンを形成する。タッチセンサ１８０Ｋは、タッチセンサ１８０Ｋ上またはその近くで実行されるタッチ操作を検出するように構成されている。タッチセンサは、検出されたタッチ操作をアプリケーションプロセッサに転送して、タッチイベントのタイプを決定してもよい。タッチ操作に関連する視覚出力は、ディスプレイ１９４を介して提供されてもよい。いくつかの他の実施形態では、タッチセンサ１８０Ｋは、ディスプレイ１９４とは異なる位置の電子デバイス１００の表面に配置されてもよい。
【００７７】
骨伝導センサ１８０Ｍは、振動信号を取得してもよい。いくつかの実施形態では、骨伝導センサ１８０Ｍは、ヒト声帯部の振動骨の振動信号を取得してもよい。骨伝導センサ１８０Ｍはまた、血圧脈動信号を受信するために身体パルスに接触してもよい。いくつかの実施形態では、骨伝導センサ１８０Ｍはまた、骨伝導ヘッドセットを取得するためにヘッドセット内に配置されてもよい。オーディオモジュール１７０は、スピーチ機能を実施するために、声帯部分の振動骨のものであり、骨伝導センサ１８０Ｍによって取得される振動信号に基づいた解析を介してスピーチ信号を取得してもよい。アプリケーションプロセッサは、心拍数検出機能を実施するために、骨伝導センサ１８０Ｍによって取得された血圧脈動信号に基づいて心拍数情報を解析してもよい。
【００７８】
キー１９０は、電源キー、ボリュームキーなどを含む。キー１９０は、機械的キーであってもよいし、タッチキーであってもよい。電子デバイス１００は、キー入力を受信し、電子デバイス１００のユーザ設定および機能制御に関連するキー信号入力を生成してもよい。
【００７９】
モータ１９１は、振動プロンプトを生成してもよい。モータ１９１は、着呼振動プロンプトのために使用されてもよいし、タッチ振動フィードバックのために使用されてもよい。例えば、異なるアプリケーション（例えば、撮影およびオーディオ再生）に対して実行されるタッチ操作は、異なる振動フィードバック効果に対応してもよい。モータ１９１はまた、ディスプレイ１９４の異なる領域で実行されるタッチ操作に対する異なる振動フィードバック効果に対応してもよい。異なるアプリケーションシナリオ（例えば、時間リマインダ、情報受信、目覚まし時計、およびゲーム）もまた、異なる振動フィードバック効果に対応してもよい。タッチ振動フィードバック効果をカスタマイズすることもできる。
【００８０】
インジケータ１９２は、インジケータライトであってもよいし、充電状態および電力変化を指示するように構成されてもよいし、メッセージ、不在着信、通知などを指示するように構成されてもよい。
【００８１】
ＳＩＭカードインターフェース１９５は、ＳＩＭカードに接続するように構成されている。ＳＩＭカードは、電子デバイス１００との接触または電子デバイス１００からの分離を実施するために、ＳＩＭカードインターフェース１９５に挿入されてもよく、またはＳＩＭカードインターフェース１９５から取り外されてもよい。電子デバイス１００は、１つまたはＮ個のＳＩＭカードインターフェースをサポートしてもよい。Ｎは、１よりも大きい正の整数である。。ＳＩＭカードインターフェース１９５は、ナノＳＩＭカード、マイクロＳＩＭカード、ＳＩＭカードなどをサポートしてもよい。複数のカードが同時に同じＳＩＭカードインターフェース１９５に挿入されてもよい。複数のカードは、同じタイプまたは異なるタイプのものであってもよい。ＳＩＭカードインターフェース１９５はまた、異なるタイプのＳＩＭカードと互換性があってもよい。ＳＩＭカードインターフェース１９５はまた、外部メモリカードと互換性があってもよい。電子デバイス１００は、ＳＩＭカードを介してネットワークと対話し、会話やデータ通信などの機能を実施する。いくつかの実施形態では、電子デバイス１００は、ｅＳＩＭ、すなわち、埋め込みＳＩＭカードを使用する。ｅＳＩＭカードは、電子デバイス１００内に埋め込まれてもよく、電子デバイス１００から分離することはできない。
【００８２】
電子デバイス１００のソフトウェアシステムは、層状アーキテクチャ、イベント駆動アーキテクチャ、マイクロカーネルアーキテクチャ、マイクロサービスアーキテクチャ、またはクラウドアーキテクチャを使用してもよい。本発明のこの実施形態では、電子デバイス１００のソフトウェア構造を例示するために、層状アーキテクチャを有するＡｎｄｒｏｉｄシステムが一例として使用される。
【００８３】
図２は、本発明の一実施形態による電子デバイス１００のソフトウェア構造のブロック図である。
【００８４】
層状アーキテクチャでは、ソフトウェアはいくつかの層に分割されており、各層は明確な役割とタスクを有する。これらの層は、ソフトウェアインターフェースを介して互いに通信する。いくつかの実施形態では、Ａｎｄｒｏｉｄシステムは、上から下までの４つの層、すなわち、アプリケーション層と、アプリケーションフレームワーク層と、Ａｎｄｒｏｉｄランタイム（Ａｎｄｒｏｉｄ  ｒｕｎｔｉｍｅ）およびシステムライブラリと、カーネル層とに分割される。
【００８５】
アプリケーション層は、一連のアプリケーションパッケージを含んでもよい。
【００８６】
図２に示すように、アプリケーションパッケージは、「カメラ」、「ギャラリー」、「カレンダー」、「コール」、「マップ」、「ナビゲーション」、「ＷＬＡＮ」、「ブルートゥース」、「ミュージック」、「ビデオ」、「メッセージ」などのアプリケーションを含んでもよい。
【００８７】
アプリケーションフレームワーク層は、アプリケーション・プログラミング・インターフェース（ａｐｐｌｉｃａｔｉｏｎ  ｐｒｏｇｒａｍｍｉｎｇ  ｉｎｔｅｒｆａｃｅ、ＡＰＩ）と、アプリケーション層におけるアプリケーションのためのプログラミングフレームワークを提供する。アプリケーションフレームワーク層は、いくつかの事前定義された機能を含む。
【００８８】
図３に示すように、アプリケーションフレームワーク層は、ウィンドウマネージャ、コンテンツプロバイダ、ビューシステム、電話マネージャ、リソースマネージャ、通知マネージャなどを含んでもよい。
【００８９】
ウィンドウマネージャは、ウィンドウプログラムを管理するように構成されている。ウィンドウマネージャは、ディスプレイのサイズを取得し、ステータスバーがあるかどうかを決定し、スクリーンロックを実行し、スクリーンショットを取るなどしてもよい。
【００９０】
コンテンツプロバイダは、データを保存し、取得し、データがアプリケーションによってアクセスされることを可能にするように構成されている。データは、ビデオ、画像、オーディオ、発信され受信された通話、閲覧履歴およびブックマーク、アドレス帳などを含んでもよい。
【００９１】
ビューシステムは、テキストを表示するための制御、画像を表示するための制御などの視覚的制御を含む。ビューシステムは、アプリケーションを構築するために使用することができる。ディスプレイインターフェースは、１つ以上のビューを含んでもよい。例えば、ＳＭＳメッセージ通知アイコンを含むディスプレイインターフェースは、テキストディスプレイビューおよび画像ディスプレイビューを含んでもよい。
【００９２】
電話マネージャは、電子デバイス１００の通信機能、例えば、通話状態の管理（応答または拒否を含む）を提供するように構成されている。
【００９３】
リソースマネージャは、ローカライズされたストリング、アイコン、画像、レイアウトファイル、ビデオファイルなどの種々のリソースをアプリケーションに提供する。
【００９４】
通知マネージャは、アプリケーションが通知情報をステータスバーに表示することを可能にし、通知メッセージを伝達するように構成されてもよい。通知マネージャは、短い一時停止の後、ユーザの対話を必要とせずに自動的に消滅してもよい。例えば、通知マネージャは、ダウンロード完了を通知する、メッセージ通知を与えるなどを行うように構成されている。通知マネージャは代替的には、グラフまたはスクロールバーテキストのテキスト形式でシステムの最上位ステータスバーに現れる通知、例えば、バックグラウンドで実行中のアプリケーションの通知、またはダイアログウィンドウの形式でスクリーンに現れる通知であってもよい。例えば、テキスト情報がステータスバーにプロンプト表示されたり、警告音が鳴ったり、電子デバイスが振動したり、インジケータライトが点滅したりする。
【００９５】
Ａｎｄｒｏｉｄランタイムは、コアライブラリと仮想マシンを含む。Ａｎｄｒｏｉｄランタイムは、Ａｎｄｒｏｉｄシステムのスケジューリングと管理を担当する。
【００９６】
コアライブラリは、Ｊａｖａ言語で呼び出す必要のある関数と、Ａｎｄｒｏｉｄのコアライブラリの２つの部分を含む。
【００９７】
アプリケーション層とアプリケーションフレームワーク層は、仮想マシン上で動作してもよい。仮想マシンは、アプリケーション層とアプリケーションフレームワーク層のＪａｖａファイルをバイナリファイルとして実行する。仮想マシンは、オブジェクトライフサイクル管理、スタック管理、スレッド管理、セキュリティと例外管理、ガーベジコレクションなどの機能を実施するように構成されている。
【００９８】
システムライブラリは、複数の機能モジュール、例えば、サーフェスマネージャ（ｓｕｒｆａｃｅ  ｍａｎａｇｅｒ）、メディアライブラリ（Ｍｅｄｉａ  Ｌｉｂｒａｒｉｅｓ）、３次元グラフィックス処理ライブラリ（例えば、ＯｐｅｎＧＬ  ＥＳ）、および２Ｄグラフィックスエンジン（例えば、ＳＧＬ）を含んでもよい。
【００９９】
サーフェスマネージャは、ディスプレイサブシステムを管理し、複数のアプリケーションのために２Ｄおよび３Ｄ画像層の融合を提供するように構成されている。
【０１００】
メディアライブラリは、複数の一般的に使用されるオーディオおよびビデオフォーマット、静止画像ファイルなどの再生および記録をサポートする。メディアライブラリは、ＭＰＥＧ４、Ｈ．２６４、ＭＰ３、ＡＡＣ、ＡＭＲ、ＪＰＧ、およびＰＮＧのような複数のオーディオおよびビデオコーディングフォーマットをサポートしてもよい。
【０１０１】
３次元グラフィックス処理ライブラリＯｐｅｎＧｒａｐｈｉｃｓＬｉｂは、３次元グラフィックス描画、画像レンダリング、合成、層処理などを実施するように構成されている。
【０１０２】
２Ｄグラフィックスエンジンは２Ｄ描画のための描画エンジンである。。
【０１０３】
カーネル層は、ハードウェアとソフトウェアの間の層である。カーネル層は、少なくともディスプレイドライバ、カメラドライバ、オーディオドライバ、およびセンサドライバを含む。
【０１０４】
以下では、撮影シナリオを参照して、電子デバイス１００のソフトウェアおよびハードウェアの動作プロセスの一例を説明する。
【０１０５】
タッチセンサ１８０Ｋがタッチ操作を受信するときに、対応するハードウェア割り込みがカーネル層に送信される。カーネル層は、タッチ操作をオリジナルの入力イベント（タッチ操作のタッチ座標やタイムスタンプなどの情報を含む）に変換する。元の入力イベントはカーネル層に記憶される。アプリケーションフレームワーク層は、カーネル層からオリジナルの入力イベントを取得し、入力イベントに対応する制御を識別する。タッチ操作がタッチタップ操作であり、タップ操作に対応する制御がカメラアプリケーションアイコンの制御である例。カメラアプリケーションは、カメラアプリケーションを有効にするために、アプリケーションフレームワーク層においてインターフェースを呼び出し、次に、カーネル層を呼び出すことによってカメラドライバを有効にし、カメラ１９３を介して静止画像またはビデオを捕捉する。
【０１０６】
以下では、この出願の一実施形態によるスタイラスシステムのアーキテクチャについて説明する。図３は、この出願によるスタイラスシステムのアーキテクチャ図である。図３に示すように、この出願によるスタイラスシステムのアーキテクチャ図において、スタイラスシステム３０は、スタイラス３０と端末３１とを含む。端末３１は、図１の電子デバイス１００であってもよい。
【０１０７】
スタイラスは、プロアクティブ容量性スタイラスである。。プロアクティブ容量性スタイラスは、電源３０１、電力管理ユニット（ｐｏｗｅｒ  ｍａｎａｇｅｍｅｎｔ  ｕｎｉｔ、ＰＭＵ）３０２、マイクロコントローラユニット（ｍｉｃｒｏｃｏｎｔｒｏｌｌｅｒ  ｕｎｉｔ、ＭＣＵ）３０３、ドライバユニット３０４、圧力センサ３０５、およびニブ３０６を含んでもよい。電源３０１は、再充電可能なリチウム電池、標準的な交換可能な電池などとしてもよい。電力管理ユニット３０２は、適応ＵＳＢ互換（ＵＳＢ−ｃｏｍｐａｔｉｂｌｅ）パルス幅変調（ｐｕｌｓｅ  ｗｉｄｔｈ  ｍｏｄｕｌａｔｉｏｎ、ＰＭＷ）充電回路、マルチチャネルＤＣ−ＤＣコンバータ（Ｂｕｃｋ  ＤＣ−ＤＣ  ｃｏｎｖｅｒｔｅｒ）、ＬＣＤバックライトドライバ回路などを含んでもよい。電力管理ユニット３０２は、スタイラス３０のマイクロコントローラユニット３０３、ドライバユニット３０４、圧力センサ３０５などによって必要とされる電力を供給してもよい。マイクロコントローラユニット３０３は、容量性スタイラス励起信号を生成し、圧力センサ３０５によって報告された圧力データを受信および分析し、機能キーの状態を検出し、電力モードスイッチングを管理するなどを行うように構成されてもよい。圧力センサ３０５は、スタイラスのニブ上の圧力データを検出し、スタイラス３０のニブ上の検出された圧力データをマイクロコントローラユニット３０３に報告するように構成されてもよい。ドライバユニット３０４は、スタイラスのニブに電圧駆動信号を供給するように構成されてもよい。電圧駆動信号を受信した後、スタイラスのニブは、端末によって検出され得る信号、例えば、電気信号を出力してもよい。ニブが端末に近づくときに、端末は、ニブによって出力される電気信号を検出してもよい。換言すれば、端末はスタイラスの入力信号を検出する。端末がスタイラスの入力信号を検出した後、端末は、タッチ制御チップを介して、端末３１のタッチセンサ３１１上のスタイラス３０のニブ３０６の特定の位置を決定してもよい。スタイラスのニブは、信号、例えば電気信号を連続的に送信してもよい。スタイラスのニブは、低周波数信号（例えば、３０ＫＨｚ〜７０ＫＨｚの信号）を連続的に送信してもよい。スタイラスのニブによって送信される信号は、ニブによって感じられる圧力、キーの状態、スタイラスのＩＤシリアル番号などの情報を含んでもよい。オプションの場合では、スタイラスは、ブルートゥース、ｗｉｆｉ、ｚｉｇｂｅｅなどを介して端末に接続されてもよい。ニブがタッチスクリーンに接触していることを検出した後、スタイラスは、端末にブルートゥースを介して、スタイラスの検出周波数を調整し、メモ帳を開くように指示してもよい。
【０１０８】
端末３１は、タッチセンサ３１１、ディスプレイ３１２、タッチ制御チップ３１３、グラフィックス処理ユニット（ｇｒａｐｈｉｃｓ  ｐｒｏｃｅｓｓｉｎｇ  ｕｎｉｔ、ＧＰＵ）３１４、およびアプリケーションプロセッサ（ａｐｐｌｉｃａｔｉｏｎ  ｐｒｏｃｅｓｓｏｒ、ＡＰ）３１５を含んでもよい。タッチ制御チップ３１２は、タッチセンサ３１１によって検出された静電容量信号と検出された静電容量信号の位置を決定し、静電容量信号とその位置をアプリケーションプロセッサ３１５に報告してもよい。ディスプレイ３１２は、図１のディスプレイ１９４であってもよい。詳細は、ここでは再度説明しない。
【０１０９】
タッチセンサ３１１は、スタイラス３０の近接操作によって生成された静電容量信号、または指のタッチ操作によって生成された静電容量信号を検出し、スタイラス３０がタッチスクリーンに近づいたときに生成された静電容量信号、または指のタッチ操作によって生成された静電容量信号をスタイラスタッチ制御チップ３１３にアップロードするように構成されてもよい。
【０１１０】
図４を参照する。図４は、この出願による端末のスクリーン４０を示す。端末のスクリーン４０は、保護ガラス、タッチセンサ、ディスプレイ、およびベースプレートを含んでもよい。タッチセンサおよびディスプレイは、タッチスクリーンを形成してもよい。具体的な内容については、図１に示す装置の実施形態を参照のこと。本明細書では、詳細は説明しない。
【０１１１】
図５を参照する。図５は、この出願によるタッチセンサ５０を示す。タッチセンサ５０は、Ｘ軸電極層およびＹ軸電極層を含んでもよい。Ｘ軸電極層は、マトリクス方式に分散された複数の送信（ｔｒａｎｓｍｉｔ、Ｔｘ）電極を含んでもよい。Ｙ軸電極層は、マトリクス方式に分散された複数の受信（ｒｅｃｅｉｖｅ、Ｒｘ）電極を含んでもよい。端末は、タッチスクリーンの自己静電容量検出および相互静電容量検出を介して、指のタッチ操作を検出してもよい。端末は、タッチスクリーンの相互静電容量検出を介してスタイラスの入力操作を検出してもよい。
【０１１２】
図５に示すタッチセンサ５０に基づき、この出願における相互静電容量検出および自己静電容量検出を以下に説明する。
【０１１３】
１．相互静電容量検出：端末のタッチセンサ５０上の送信（ｔｒａｎｓｍｉｔ、Ｔｘ）電極および受信（ｒｅｃｅｉｖｅ、Ｒｘ）電極は、送信電極が受信電極と交差するネットワークを形成する。相互静電容量（すなわち、Ｔｘ電極と隣接するＲｘ電極によって形成される静電容量）は、Ｔｘ電極とＲｘ電極との間の交点（すなわち、座標点）で形成される。端末が、タッチスクリーン上の各座標点の相互静電容量の大きさをスキャンおよび検出するときに、タッチスクリーンに接続され、端末上にあるタッチ制御チップが、各Ｔｘ電極上に励起信号を順次送信する。次に、タッチ制御チップは、各Ｒｘ電極によって受信された信号をスキャンする。タッチ制御チップは、測定された電圧値をアナログデジタル方式でデジタル信号に変換し、静電容量値を計算する。指がタッチスクリーンに触れるときに、指はＴｘ電極からの励起信号の一部を吸収する。従って、Ｒｘ電極によって受信される信号が弱くなり、タッチセンサ上の各座標点の静電容量変化に基づいて、指のタッチ位置情報を算出することができるようにする。
【０１１４】
端末がスタイラスを検出する方式は、相互静電容量検出方式である。スタイラス（プロアクティブ容量性スタイラス）がタッチスクリーンに接近し、スタイラスのニブが信号を送信するときに、スタイラスのニブがタッチスクリーン上のＴｘ電極を置き換えてもよい。この場合、タッチスクリーン上のＴｘ電極および元のＲｘ電極は、タッチスクリーン上の水平軸（Ｘ軸）および垂直軸（Ｙ軸）の方向にスタイラスの送信信号を順番に感知する。この場合、端末によって受信されたスタイラスの接触点の相互静電容量値は、スタイラスのニブとタッチスクリーン上のＴｘ電極またはＲｘ電極との間の結合静電容量である。このようにして、端末は、タッチスクリーン上のスタイラスのニブの位置情報を取得するために、Ｘ軸およびＹ軸上に静電容量ピーク交点を位置付けてもよい。
【０１１５】
相互静電容量検出周波数は、タッチスクリーンが、タッチスクリーン上の各タッチ点のＴｘ電極とＲｘ電極との間の静電容量値（すなわち、相互静電容量値）を収集し、タッチスクリーン上の相互静電容量値をタッチ制御チップに報告する周波数であってもよい。例えば、１２０Ｈｚ周波数相互静電容量検出は、タッチスクリーンが、タッチスクリーン上の各電極交点の送信（ｔｒａｎｓｍｉｔ、Ｔｘ）電極と受信（ｒｅｃｅｉｖｅ、Ｒｘ）電極との間の相互静電容量値を収集し、各電極交点の相互静電容量値を１２０Ｈｚの周波数でタッチ制御チップに報告することを意味してもよい。
【０１１６】
相互静電容量検出周波数はまた、タッチ制御チップが各電極交点の相互静電容量値に基づいてタッチ点の座標位置を計算する処理周波数を指してもよい。１２０Ｈｚ周波数相互静電容量検出はまた、タッチスクリーンが、タッチスクリーン上の各電極交点のＴｘ電極とＲｘ電極との間の相互静電容量値をタッチ制御チップに報告した後、タッチ制御チップが、各電極交点のＴｘ電極とＲｘ電極との間の相互静電容量値に基づいて、１２０Ｈｚの処理周波数におけるタッチ点の座標位置を計算することを意味してもよい。
【０１１７】
２．自己静電容量検出：端末が自己静電容量方式でタッチスクリーン上のユーザのタッチ操作を検出するときに、タッチスクリーン上のＴｘ電極とＲｘ電極が別々に接地と静電容量（すなわち自己静電容量）を形成する。Ｔｘ電極およびＲｘ電極は、Ｔｘ電極がＲｘ電極と交差するネットワークを形成する。指が容量性タッチスクリーンに接触するときに、指の静電容量がタッチスクリーンのスクリーン静電容量（Ｔｘ電極および接地によって形成される自己静電容量、またはＲｘ電極および接地によって形成される自己静電容量）に重畳されて、スクリーン静電容量の量が変化する。端末は、タッチスクリーン上の各座標点における電極の自己静電容量の大きさをスキャンおよび検出するときに、Ｔｘ電極アレイおよびＲｘ電極アレイを順次検出し、タッチ前後の静電容量の変化に基づいて水平（Ｔｘ電極配列方向）座標および垂直（Ｒｘ電極配列方向）座標を別々に決定して、タッチ座標を２次元平面上に形成することができる。
【０１１８】
自己静電容量検出周波数は、タッチスクリーンがタッチスクリーン上の各タッチ点で電極の自己静電容量値を収集し、タッチスクリーン上の相互静電容量値をタッチ制御チップに報告する周波数であってもよい。例えば、１２０Ｈｚ周波数自己静電容量検出は、タッチスクリーンがタッチスクリーン上の各電極の自己静電容量値を収集し、１２０Ｈｚの周波数で各電極の自己静電容量値をタッチ制御チップに報告することを意味してもよい。
【０１１９】
自己静電容量検出周波数はまた、タッチ制御チップが各電極の自己静電容量値に基づいてタッチ点の座標位置を計算する処理周波数を参照してもよい。１２０Ｈｚ周波数相互静電容量検出はまた、タッチスクリーンがタッチスクリーン上の各電極の自己静電容量値をタッチ制御チップに報告した後、タッチ制御チップが、１２０Ｈｚの処理周波数における各電極の自己静電容量値に基づいて、タッチ点の座標位置を計算することを意味してもよい。
【０１２０】
以下は、この出願のこの実施形態における、タッチスクリーン上のユーザの指タッチ入力操作に対する端末の３つの検出状態、すなわち、アクティブ（Ａｃｔｉｖｅ）状態、アイドル（Ｉｄｌｅ）状態、およびスリープ（Ｓｌｅｅｐ）状態を説明する。
【０１２１】
アクティブ状態：アクティブ状態では、端末は、１２０Ｈｚ周波数相互静電容量検出および１２０Ｈｚ周波数自己静電容量検出のタッチ検出状態において、タッチスクリーン上のユーザのタッチ入力操作を検出する。
【０１２２】
アイドル状態：アイドル状態では、端末は、１Ｈｚ周波数相互静電容量検出および１２０Ｈｚ周波数自己静電容量検出のタッチ検出状態で、タッチスクリーン上のユーザのタッチ入力操作を検出する。
【０１２３】
スリープ状態：スリープ状態では、端末は、タッチスクリーン上のユーザのタッチ入力操作を検出しない。
【０１２４】
可能な場合では、端末は、時分割多重化の検出方法において、スタイラスの入力信号および指タッチの入力信号を検出してもよい。例えば、端末がタッチセンサ上の静電容量信号を検出する検出周期は３３．３４ｍｓである。この期間は、２つの信号検出時間間隔に分割されてもよい。具体的には、期間内の２つの信号検出時間間隔の特定の期間は、信号検出時間間隔Ａ：０〜１６．６７ｍｓ、パルス信号時間間隔Ｂ：  １６．６８ｍｓ〜３３．３４ｍｓとしてもよい。端末は、信号検出時間間隔Ａでスタイラスの入力信号を検出し、信号検出時間間隔Ｂでユーザのタッチ入力を検出してもよい。上述の例は、単にこのアプリケーションを説明するために用いたものであり、限定を構成するものではない。可能な場合では、代替的には、端末は、２つの別々なタッチ制御チップを介して、スタイラスの入力信号と、指タッチの入力信号とを別々に検出してもよい。
【０１２５】
以下、添付の図面およびアプリケーションシナリオを参照して、この出願の一実施形態によるスタイラス検出方法を詳細に説明する。
【０１２６】
配信前に端末が設定されると、端末上のスタイラス機能がデフォルトで有効にされ、端末はタッチスクリーンの第１の周波数（例えば５Ｈｚ）でスタイラスの入力信号をスキャンして検出することができる。端末が、タッチスクリーンを介してスタイラスの入力信号を受信した後、端末は、端末上でスタイラスのスムーズな書き込みを実施するために、スタイラスの入力信号状態をスキャンするために第２の周波数（例えば、４８０Ｈｚ）に切り替えてもよい。具体的な実施態様は以下の通りである：
【０１２７】
図６ａ〜６ｃは、図６ａ、図６ｂ、図６ｃは、工場設定後の端末の初期タッチ検出状態および初期スタイラス周波数検出状態を示す。図６ａ〜図６ｃに示すタッチスクリーンの検出状態では、ユーザはスタイラスを使用していない。図６ａに示すように、アクティブ−５Ｈｚ状態では、端末は、１２０Ｈｚ相互静電容量検出周波数および１２０Ｈｚ自己静電容量検出周波数で、タッチスクリーンを介してユーザのタッチ操作の入力信号を検出してもよいし、端末は、５Ｈｚのスキャン検出周波数において、タッチスクリーンを介してスタイラスの入力信号を検出してもよい。図６ｂに示すように、アイドル−５Ｈｚ状態では、端末は、１Ｈｚ相互静電容量検出周波数および１２０Ｈｚ自己静電容量検出周波数で、タッチスクリーンを介してタッチ操作の入力信号を検出してもよいし、端末は、５Ｈｚのスキャン検出周波数において、タッチスクリーンを介してスタイラスの入力信号を検出してもよい。図６ｃに示すように、スリープ−５Ｈｚ状態では、端末は、タッチスクリーン上のユーザのタッチ操作の入力信号を検出しないことがあり、端末は、５Ｈｚのスキャン検出周波数でタッチスクリーンを介してスタイラスの入力信号を検出してもよい。
【０１２８】
端末がユーザのタッチ操作の入力信号を検出するときに、端末のタッチスクリーンのスキャン検出状態は、図６ａに示すアクティブ−５Ｈｚ状態としてもよい。端末が図６ａに示すアクティブ−５Ｈｚ状態にあり、端末がユーザのタッチ操作の入力信号を検出しない持続時間がプリセット期間（例えば、３０秒、１分、２分、またはそれよりも長い）よりも大きい場合、端末は、図６ａに示されるアクティブ−５Ｈｚ状態から図４ｂに示されるアイドル−５Ｈｚ状態に切り替えてもよい。
【０１２９】
端末が図６ｂに示すアイドル−５Ｈｚ状態のユーザのタッチ操作の入力信号を検出するときに、端末は、図６ｂに示すアイドル−５Ｈｚ状態から図６ａに示すアクティブ−５Ｈｚ状態に切り替えてもよい。
【０１３０】
端末が図６ｂに示すアイドル−５Ｈｚ状態にあり、端末がユーザのタッチ操作の入力信号を検出しない持続時間がプリセット期間（例えば、３０秒、１分、２分、またはそれよりも長い）よりも大きい場合、端末は、図６ｂに示すアイドル−５Ｈｚ状態から図６ｃに示すスリープ−５Ｈｚ状態に切り替えてもよい。スリープ−５Ｈｚ状態では、端末は、ユーザのタッチ操作の入力信号を検出しなくてもよく、端末は、５Ｈｚのスキャン検出周波数でタッチスクリーンを介してスタイラスの入力信号を検出してもよい。
【０１３１】
可能な場合では、端末は、図６ａに示されるアクティブ−５Ｈｚ状態、または図６ｂに示されるアイドル−５Ｈｚ状態である。端末がユーザのスクリーンオフ操作（例えば、電源キーを一度押す）を受信すると、端末は、アクティブ−５Ｈｚ状態またはアイドル−５Ｈｚ状態からスリープ−５Ｈｚ状態に切り替えてもよい。可能な場合では、端末は、図６ｃに示されるスリープ−５Ｈｚ状態である。端末がユーザのスクリーンオン操作（例えば、端末がスクリーンオフになっているときに電源キーを１回押すなど）を受信する場合、端末はスリープ−５Ｈｚ状態からアクティブ−５Ｈｚ状態に切り替えてもよい。
【０１３２】
端末が、図６ａに示すアクティブ−５Ｈｚ状態、図６ｂに示すアイドル−５Ｈｚ状態、または図６ｃに示すスリープ−５Ｈｚ状態にあるときに、端末がスタイラスの入力信号を検出するときに、端末は、図７ａに示すアクティブ−４８０Ｈｚ状態に切り替えてもよい。
【０１３３】
図７ａ〜図７ｃを参照すると、図７ａ、図７ｂ、および図７ｃは、端末がスタイラスの入力を受信した後の端末のいくつかの検出状態を示す。
【０１３４】
図７ａに示すように、アクティブ−４８０Ｈｚ状態では、端末は、１２０Ｈｚ相互静電容量検出周波数および１２０Ｈｚ自己静電容量検出周波数でタッチスクリーンを介してタッチ操作の入力信号を検出することができ、端末は、４８０Ｈｚのスキャン検出周波数でタッチスクリーンを介してスタイラスの入力信号を検出してもよい。
【０１３５】
図７ｂに示すように、アイドル−６０Ｈｚ状態では、端末は、１Ｈｚ相互静電容量検出周波数および１２０Ｈｚ自己静電容量検出周波数でタッチ操作の入力信号を検出してもよく、端末は、６０Ｈｚのスキャン検出周波数でタッチスクリーンを介してスタイラスの入力信号を検出してもよい。
【０１３６】
図７ｃに示すように、スリープ−５Ｈｚ状態では、端末は、タッチスクリーン上のユーザのタッチ操作の入力信号を検出しなくてもよく、端末は、５Ｈｚのスキャン検出周波数でタッチスクリーンを介してスタイラスの入力信号を検出してもよい。
【０１３７】
端末が初めてスタイラスの入力信号を検出するときに、端末のタッチスクリーンのスキャン検出状態は、図７ａに示す端末のアクティブ−４８０Ｈｚ状態に切り替えてもよい。例えば、図６ａに示す端末のアクティブ−５Ｈｚ状態において、端末が初めてスタイラスの入力信号を検出した場合、端末は、アクティブ−５Ｈｚ状態からアクティブ−４８０Ｈｚ状態に切り替えてもよい。換言すれば、端末はスタイラスの検出周波数を５Ｈｚから４８０Ｈｚに増加させる。別の例として、図６ｂに示す端末のアイドル−５Ｈｚ状態において、端末が初めてスタイラスの入力信号を検出した場合、端末は、図７ａに示す端末のアイドル−５Ｈｚ状態からアクティブ−４８０Ｈｚ状態に切り替えてもよい。換言すれば、端末は、指タッチ検出状態をアイドル状態からアクティブ状態に切り替え、スタイラスの検出周波数を５Ｈｚから４８０Ｈｚに増加させてもよい。別の例として、図６ｃに示す端末のスリープ−５Ｈｚ状態において、端末が初めてスタイラスの入力信号を検出した場合、端末は、スリープ−５Ｈｚ状態からアクティブ−４８０Ｈｚ状態に切り替えてもよい。換言すれば、端末は、指タッチ検出状態をスリープ状態からアクティブ状態に切り替え、スタイラスの検出周波数を５Ｈｚから４８０Ｈｚに増加させてもよい。
【０１３８】
端末が図７ａに示すアクティブ−４８０Ｈｚ状態にあるときに、端末がタッチスクリーンを介してスタイラスの入力信号を検出せず、端末がタッチスクリーンを介してユーザのタッチの入力信号を検出しない持続時間が、プリセット期間（例えば、３０秒、１分、２分、またはそれよりも長い）よりも大きい場合、端末は、図７ａに示すアクティブ−４８０Ｈｚ状態から図７ｂに示すアイドル−６０Ｈｚ状態に切り替えてもよい。
【０１３９】
端末が図７ｂに示すアイドル−６０Ｈｚ状態にあるときに、端末がタッチスクリーンを介してスタイラスの入力信号を検出せず、端末がタッチスクリーンを介してユーザのタッチ操作の入力信号を検出しない持続時間が、プリセット期間（例えば、３０秒、１分、２分、またはそれよりも長い）よりも大きい場合、端末は、図７ｂに示すアイドル−６０Ｈｚ状態から図７ｃに示すスリープ−５Ｈｚ状態に切り替えてもよい。可能な場合では、端末が図７ｂに示すアイドル−６０Ｈｚ状態にあるときに、端末が、タッチスクリーンを介してスタイラスの入力信号を検出するか、またはタッチスクリーンを介してユーザのタッチ操作の入力信号を検出する場合、端末は、図７ｂに示すアイドル−６０Ｈｚ状態から図７ａに示すアクティブ−４８０Ｈｚ状態に切り替えてもよい。このようにして、端末が高周波数（例えば、４８０Ｈｚ）でスタイラスの入力信号を検出するときに、端末がある期間（例えば、３０ｓ〜６０ｓ）内にスタイラスの入力信号を検出しない場合、端末は、検出周波数を中間周波数（例えば、６０Ｈｚ）に低減し、スタイラスの入力信号が再び到着するのを待機してもよい。このようにして、スタイラスの入力信号が再び到着するときに、端末は迅速に応答を行い、再び到着するスタイラスの入力信号に対応する動作を実行してもよい。これは、ユーザ体験を向上させる。例えば、スタイラスが一時的に書き込みを停止し、次に、再び書き込みを行うときに、端末は、スタイラスの手書きの連続性を保証するために、スタイラスの手書きを迅速に記録して、ユーザの書き込み体験を向上させてもよい。
【０１４０】
端末が、図７ａに示すアクティブ−４８０Ｈｚ状態または図７ｂに示すアイドル−６０Ｈｚ状態にあるときに、端末が、ユーザのスクリーンオフ操作（例えば、電源キーを一度押す）を受信した場合、端末は、図７ａに示すアクティブ−４８０Ｈｚ状態または図７ｂに示すアイドル−６０Ｈｚ状態から、図７ｃに示すスリープ−５Ｈｚ状態に切り替えてもよい。
【０１４１】
端末が図７ｃに示すスリープ−５Ｈｚ状態にあるときに、端末がタッチスクリーンを介してスタイラスの入力信号を検出する場合、端末は、図７ｃに示すスリープ−５Ｈｚ状態から図７ａに示すアクティブ−４８０Ｈｚ状態に切り替えてもよい。可能な場合では、端末が図７ｃに示すスリープ−５Ｈｚ状態にあるときに、端末がユーザのスクリーンオン操作（例えば、端末がスクリーンオフであるときに電源キーを一度押す）を受信した場合、端末は、図７ｃに示すスリープ−５Ｈｚ状態から図７ａに示すアクティブ−４８０Ｈｚ状態に切り替えてもよい。
【０１４２】
可能な場合では、端末が、図６ａに示すアクティブ−５Ｈｚ状態、図６ｂに示すアイドル−５Ｈｚ状態、または図６ｃに示すスリープ−５Ｈｚ状態にあるときに、端末がスタイラスの入力信号を検出する場合、端末は、図８ａに示すアクティブ−４８０Ｈｚ状態に切り替えてもよい。
【０１４３】
図８ａ〜８ｄを参照する。図８ａ、図８ｂ、および図８ｃは、端末がユーザのスタイラスの入力を受信した後の端末のいくつかの検出状態を示す。
【０１４４】
図８ａに示すように、アクティブ−４８０Ｈｚ状態では、端末は、１２０Ｈｚ相互静電容量検出周波数および１２０Ｈｚ自己静電容量検出周波数でタッチスクリーンを介してユーザのタッチ操作の入力信号を検出してもよく、端末は、４８０Ｈｚのスキャン検出周波数でタッチスクリーンを介してスタイラスの入力信号を検出してもよい。
【０１４５】
図８ｂに示すように、アクティブ−６０Ｈｚ状態では、端末は、１２０Ｈｚ相互静電容量検出周波数および１２０Ｈｚ自己静電容量検出周波数でタッチスクリーンを介してユーザのタッチ操作の入力信号を検出してもよく、端末は、６０Ｈｚのスキャン検出周波数でタッチスクリーンを介してスタイラスの入力信号を検出してもよい。図８ｃに示すように、アイドル−４８０Ｈｚ状態では、端末は、１Ｈｚ相互静電容量検出周波数および１２０Ｈｚ自己静電容量検出周波数でユーザのタッチ操作の入力信号を検出してもよく、端末は、４８０Ｈｚのスキャン検出周波数でタッチスクリーンを介してスタイラスの入力信号を検出してもよい。
【０１４６】
図８ｄに示すように、アイドル−６０Ｈｚ状態では、端末は、１Ｈｚ相互静電容量検出周波数および１２０Ｈｚ自己静電容量検出周波数でユーザのタッチ操作の入力信号を検出してもよく、端末は、６０Ｈｚのスキャン検出周波数でタッチスクリーンを介してスタイラスの入力信号を検出してもよい。
【０１４７】
端末が図８ａに示すアクティブ−４８０Ｈｚ状態にあり、端末がタッチスクリーンを介してスタイラスの入力信号を検出しない持続時間がプリセット期間（例えば、３０秒、１分、２分またはそれよりも長い）よりも大きいときに、端末は、図８ａに示すアクティブ−４８０Ｈｚ状態から図８ｂに示すアクティブ−６０Ｈｚ状態に切り替えてもよい。可能な場合では、端末が図８ａに示すアクティブ−４８０Ｈｚ状態にあり、端末がタッチスクリーンを介してユーザのタッチ操作の入力信号を検出しない持続時間が、プリセット期間（例えば、３０秒、１分、２分またはそれよりも長い）よりも大きいときに、端末は、図８ａに示すアクティブ−４８０Ｈｚ状態から図８ｃに示すアイドル−４８０Ｈｚ状態に切り替えてもよい。
【０１４８】
端末が図８ｂに示すアクティブ−６０Ｈｚ状態にあり、端末がタッチスクリーンを介してユーザのタッチ操作の入力信号を検出しない持続時間が、第５の期間よりも大きいときに、端末は、図８ｂに示すアクティブ−６０Ｈｚ状態から図８ｄに示すアイドル−６０Ｈｚ状態に切り替えてもよい。可能な場合では、端末が図８ｂに示すアクティブ−６０Ｈｚ状態にあるときに、端末がタッチスクリーンを介してスタイラスの入力信号を検出する場合、端末は、図８ｂに示すアクティブ−６０Ｈｚ状態から図８ａに示すアクティブ−４８０Ｈｚ状態に切り替えてもよい。
【０１４９】
端末が図８ｃに示すアイドル−４８０Ｈｚ状態にあり、端末がタッチスクリーンを介してスタイラスの入力信号を検出しない持続時間がプリセット期間（例えば、３０秒、１分、２分またはそれよりも長い）よりも大きいときに、端末は、図８ｃに示すアクティブ−４８０Ｈｚ状態から図８ｄに示すアクティブ−６０Ｈｚ状態に切り替えてもよい。可能な場合では、端末が図８ｃに示すアイドル−４８０Ｈｚ状態にあるときに、端末がタッチスクリーンを介してユーザのタッチ操作の入力信号を検出する場合、端末は、図８ｃに示すアイドル−６０Ｈｚ状態から図８ａに示すアクティブ−４８０Ｈｚ状態に切り替えてもよい。
【０１５０】
端末が図８ｄに示すアイドル−６０Ｈｚ状態にあるときに、端末がタッチスクリーンを介してユーザのタッチ操作の入力信号を検出する場合、端末は、図８ｄに示すアイドル−６０Ｈｚ状態から図８ｂに示すアクティブ−６０Ｈｚ状態に切り替えてもよい。可能な場合では、端末が図８ｄに示すアイドル−６０Ｈｚ状態にあるときに、端末がタッチスクリーンを介してスタイラスの入力信号を検出する場合、端末は、図８ｄに示すアイドル−６０Ｈｚ状態から図８ｃに示すアイドル−４８０Ｈｚ状態に切り替えてもよい。可能な場合では、端末が図８ｄに示すアイドル−６０Ｈｚ状態であるときに、端末がタッチスクリーンを介してスタイラスの入力信号を検出せず、端末がタッチスクリーンを介してユーザのタッチ操作の入力信号を検出しない持続時間が、プリセット期間（例えば、３０秒、１分、２分またはそれよりも長い）よりも大きい場合、端末は、図８ｄに示すアイドル−６０Ｈｚ状態からスリープ−５Ｈｚ状態（図８ａ〜図８ｄにはスリープ−５Ｈｚ状態を示さず、図７ｃを参照することができる）に切り替えてもよい。
【０１５１】
端末が、図８ａに示すアクティブ−４８０Ｈｚ状態、図８ｂに示すアクティブ−６０Ｈｚ状態、図８ｃに示すアイドル−４８０Ｈｚ状態、または図８ｄに示すアイドル−６０Ｈｚ状態であるときに、端末がユーザのスクリーンオフ操作（例えば、電源キーを一度押す）を受信する場合、端末は、図８ａに示すアクティブ−４８０Ｈｚ状態、図８ｂに示すアクティブ−６０Ｈｚ状態、図８ｃに示すアイドル−４８０Ｈｚ状態からスリープ−５Ｈｚ状態（図８ａ〜図８ｄにはスリープ−５Ｈｚ状態を示さず、図７ｃを参照することができる）に切り替えてもよい。
【０１５２】
端末がスリープ−５Ｈｚ状態（図８ａ〜図８ｄにはスリープ−５Ｈｚ状態を示さず、図７ｃを参照することができる）にあるときに、端末がタッチスクリーンを介してスタイラスの入力信号を検出するときに、端末は、スリープ−５Ｈｚ状態から図８ａに示すアクティブ−４８０Ｈｚ状態に切り替えてもよい。可能な場合では、端末がスリープ−５Ｈｚ状態（図８ａ〜図８ｄにはスリープ−５Ｈｚ状態を示さず、図７ｃを参照することができる）あるときに、端末がユーザのスクリーンオン操作（例えば、端末がスクリーンオフ状態のときに電源キーを一度押す）を受信する場合、端末は、スリープ−５Ｈｚ状態から図８ａに示すアクティブ−４８０Ｈｚ状態に切り替えてもよい。
【０１５３】
図９ａ〜図９ｄを参照すると、図９ａは、スタイラス機能が有効化されるときに、端末によってアクティブ−５Ｈｚ状態で表示されるホームスクリーン９１０を示す。図９ａでは、端末にスタイラスの使用記録がない。換言すれば、端末は、スタイラスの入力信号を受信していない。ホームスクリーン９１０は、アプリケーションを設定するためのアイコン９１１と、別のアプリケーションのアイコン（例えば、Ａｌｉｐａｙ、メモ、ミュージック、ＷｅＣｈａｔ、カメラ、電話、Ｍｅｓｓａｇｅｓ、または連絡先）を含んでもよい。端末は、ホームスクリーン９１０上のアプリケーションを設定するために、アイコン９１１上のユーザのタッチ操作９１２（例えば、タップ）を受信してもよい。タッチ操作９１２に応答して、端末は、タッチスクリーン上に、図９の９ｂに示す設定スクリーン９２０を表示してもよい。
【０１５４】
端末がスタイラスの入力信号を受信した後、端末は、端末がスタイラスの入力信号を検出するイベントをメモリに記憶してもよい。例えば、端末は、端末がスタイラスの入力信号を検出するイベントを、１ビットのフィールドを使用することによってメモリに記憶してもよい。１ビットフィールドの値が１である場合、端末にスタイラスの使用記録があることを指示する。代替的には、１ビットフィールドの値が０である場合、端末にスタイラスの使用記録がないことを指示する。
【０１５５】
図９ｂに示すように、端末上のスタイラス機能は有効であり、端末はアクティブ−５Ｈｚ状態にあるが、端末上のユーザによるスタイラスの使用の記録はない。設定スクリーン９２０は、スマートアシスタント設定バー９２１および他の設定バー（例えば、サウンド設定バー、通知センター設定バー、アプリケーション管理設定バー、バッテリ設定バー、記憶設定バー、セキュリティとプライバシー設定バー、ユーザとアカウント設定バー）を含んでもよい。端末は、設定スクリーン９２０上のスマートアシスタント設定バー９２１上にユーザのタッチ操作９２２（例えば、タップ）を受信してもよい。タッチ操作９２２に応答して、端末は、タッチスクリーン上に、図９ｃに示すスマートアシスタント設定スクリーン９３０を表示してもよい。
【０１５６】
図９ｃに示すように、端末上のスタイラス機能は有効であり、端末はアクティブ−５Ｈｚ状態にあるが、端末上のユーザによるスタイラスの使用の記録はない。スマートアシスタント設定スクリーン９３０は、スタイラス設定バー９３１と、別の設定バー（例えば、インテリジェントスクリーン読み上げ設定バー、片手操作設定バー、モーション制御設定バー、音声制御設定バー、スマートカバーモード設定バー、手袋モード設定バー、および電源オン／オフのスケジュール設定バー）とを含んでもよい。スタイラス設定バー９３１は、スタイラス設定制御９３２に関連付けられている。図９ｃにおいて、スタイラス設定制御９３２はオン状態にある。換言すれば、端末上のスタイラス機能が有効化されている。端末は、スマートアシスタント設定スクリーン９３０上のスタイラス設定制御９３２上で、ユーザのタッチ操作９３３（例えば、タップ）を受信してもよい。タッチ操作９３３に応答して、端末上のスタイラス機能は無効化され、端末は、アクティブ−５Ｈｚ状態から図９ｄに示すアクティブ−０Ｈｚ状態に切り替える。図９ｄに示すスマートアシスタント設定スクリーン９４０上では、スタイラス設定制御９４２はオフ状態にある。換言すれば、端末上のスタイラス機能は無効化されている。スタイラス機能が無効化された後、端末はスタイラスの入力信号を検出しない。
【０１５７】
アクティブ−０Ｈｚ状態では、端末は、１２０Ｈｚ相互静電容量検出周波数および１２０Ｈｚ自己静電容量検出周波数でタッチスクリーンを介してユーザのタッチ操作の入力信号を検出してもよいし、端末は、スタイラスの入力信号を検出しなくてもよい。端末がアクティブ−０Ｈｚ状態にあり、端末がユーザのタッチ操作を検出しない持続時間が第１の期間（例えば、３０秒、１分、２分、またはそれよりも長い）よりも大きい場合、端末は、アクティブ−０Ｈｚ状態からアイドル−０Ｈｚ状態に切り替わってもよい。アイドル−０Ｈｚ状態では、端末は、１Ｈｚ相互静電容量検出周波数および１２０Ｈｚ自己静電容量検出周波数でタッチスクリーンを介してユーザのタッチ操作の入力信号を検出してもよいし、端末は、スタイラスの入力信号を検出しなくてもよい。アイドル−０Ｈｚ状態では、端末がユーザのタッチ操作の入力信号を検出しない持続時間が、第２の時間（例えば、３０秒、１分、２分、またはそれよりも長い）、端末は、アイドル−０Ｈｚ状態からスリープ−０Ｈｚ状態に切り替わってもよい。スリープ−０Ｈｚでは、端末はユーザのタッチ操作の入力信号を検出せず、スタイラスの入力信号を検出しない。可能な場合では、端末は、アイドル−０Ｈｚ状態またはスリープ−０Ｈｚ状態にある。端末がユーザのスクリーンオフ操作（例えば、電源キーを一度押す）を受信する場合、端末は、アクティブ−０Ｈｚ状態またはアイドル−０Ｈｚ状態からスリープ−０Ｈｚ状態に切り替わってもよい可能な場合では、端末は、図４ｃに示すスリープ−０Ｈｚ状態にある。端末は、ユーザのスクリーンオン操作（例えば、端末がスクリーンオフのときに電源キーを一度押す）を受信する場合、スリープ０Ｈｚ状態からアクティブ０Ｈｚ状態に切り替わってもよい。
【０１５８】
図１０ａ〜図１０ｄを参照する。図１０ａは、スタイラス機能が有効化されたときに、アクティブ−４８０Ｈｚ状態の端末によって表示されるホームスクリーン１０１０を示す。ホームスクリーン１０１０は、アプリケーションを設定するためのアイコン１０１１と、他のアプリケーション（例えば、Ａｌｉｐａｙ、メモ、ミュージック、ＷｅＣｈａｔ、カメラ、電話、メッセージ、または連絡先）のアイコンとを含んでもよい。端末は、ホームスクリーン１０１０上のアプリケーションを設定するために、アイコン１０１１上のスタイラスのニブの入力操作１０１２（例えば、スタイラスのニブによるタップ）を受信してもよい。入力操作１０１２に応答して、端末は、タッチスクリーン上に、図１０ｂに示す設定スクリーン１０２０を表示してもよい。
【０１５９】
図１０ｂに示すように、端末上のスタイラス機能は有効化され、端末は、アクティブ−４８０Ｈｚ状態にある。設定スクリーン１０２０は、スマートアシスタント設定バー１０２１と、別の設定バー（例えば、サウンド設定バー、通知センター設定バー、アプリケーション管理設定バー、バッテリ設定バー、記憶設定バー、セキュリティとプライバシー設定バー、およびユーザとアカウント設定バー）とを含んでもよい。端末は、設定スクリーン１０２０上のスマートアシスタント設定バー１０２１上のスタイラスのニブの入力操作１０２２（例えば、スタイラスのニブによるタップ）を受信してもよい。入力操作１０２２に応答して、端末は、タッチスクリーン上に、図１０ｃに示すスマートアシスタント設定スクリーン１０３０を表示してもよい。
【０１６０】
図１０ｃに示すように、端末上のスタイラス機能は有効化され、端末は、アクティブ−４８０Ｈｚ状態である。端末にスタイラスの使用記録がある。換言すれば、端末は、スタイラスの入力信号（例えば、入力操作１０１２または入力操作１０２２によって生成される入力信号）を受信している。設定スクリーン１０３０は、スタイラス設定バー１０３１と、他の設定バー（例えば、インテリジェントスクリーン読み上げ設定バー、片手操作設定バー、モーション制御設定バー、音声制御設定バー、スマートカバーモード設定バー、手袋モード設定バー、および電源ＯＮ／ＯＦＦのスケジュール設定バー）とを含んでもよい。スタイラス設定バー１０３１は、スタイラス設定制御１０３２に関連付けられる。図１０ｃでは、スタイラス設定制御１０３２はオン状態にある。換言すれば、スタイラス機能が端末上で有効化されている。端末は、スマートアシスタント設定スクリーン１０３０上のスタイラス設定制御１０３２上のスタイラスのニブの入力操作１０３３（例えば、スタイラスのニブによるタップ）を受信してもよい。入力操作１０３３に応答して、端末上のスタイラス機能は無効化され、端末は、図１０ｄに示すアクティブ−４８０Ｈｚ状態からアクティブ−０Ｈｚ状態に切り替わる。図１０ｄに示すスマートアシスタント設定スクリーン１０４０では、スタイラス設定制御１０４２はオフ状態にある。換言すれば、端末上のスタイラス機能は無効化されている。スタイラス機能が無効化された後、端末は、スタイラスの入力信号を検出しない。
【０１６１】
図１１ａ〜図１１ｄを参照する。図１１ａは、スタイラス機能が無効化されたときのアクティブ−０Ｈｚ状態の端末によって表示される設定スクリーン１１１０を示す。端末にスタイラスペンの使用記録がない。換言すれば、端末は、スタイラスの入力信号を受信していない。アクティブ−０Ｈｚ状態では、端末は、１２０Ｈｚ周波数相互静電容量検出および１２０Ｈｚ周波数自己静電容量検出のタッチ検出状態で、タッチスクリーン上のユーザのタッチ入力操作を検出する。端末のタッチスクリーン上のタッチセンサは、スタイラスの入力信号によって生じるタッチセンサ上の各電極の静電容量値の変化をタッチ制御チップに報告しない。
【０１６２】
設定スクリーン１１１０は、スタイラス設定バー１１１１と、別の設定バー（例えば、インテリジェントスクリーン読み上げ設定バー、片手操作設定バー、モーション制御設定バー、音声制御設定バー、スマートカバーモード設定バー、手袋モード設定バー、および電源オン／オフのスケジュール設定バー）とを含んでもよい。スタイラス設定バー１１１１は、スタイラス設定制御１１１２に関連付けられる。図１１ａでは、スタイラス設定制御１１１２はオフ状態にある。換言すれば、端末のスタイラス機能は無効化されている。端末は、スマートアシスタント設定スクリーン１１１０上のスタイラス設定制御１１１２上で、ユーザのタッチ操作（例えば、指タップ）を受信してもよい。端末にスタイラスの使用記録がないため、タッチ操作１１１２に応答して、端末は、図１１ｂに示されるアクティブ−０Ｈｚ状態からアクティブ−５Ｈｚ状態に切り替わることができる。図１１ｂに示すスマートアシスタント設定スクリーン１１２０では、スタイラス設定制御１１２２がオン状態にある。換言すれば、端末のスタイラス機能が有効化されている。
【０１６３】
図１１ｃは、スタイラス機能が無効化されているときにアクティブ−０Ｈｚ状態の端末によって表示される設定スクリーン１１３０を示す。端末にスタイラスの使用記録がある。換言すれば、端末はスタイラスの入力信号を受信している。設定スクリーン１１３０は、スタイラス設定バー１１３１と、別の設定バー（例えば、インテリジェントスクリーン読取設定バー、片手操作設定バー、モーション制御設定バー、音声制御設定バー、スマートカバーモード設定バー、手袋モード設定バー、および電源オン／オフのスケジュール設定バー）とを含んでもよい。スタイラス設定バー１１３１は、スタイラス設定制御１１３２に関連付けられる。図１１ｃでは、スタイラス設定制御１１３２はオフ状態にある。換言すれば、端末のスタイラス機能は無効化されている。端末は、スマートアシスタント設定スクリーン１１３０上のスタイラス設定制御１１３２上で、ユーザの入力操作（例えば、指タップ）を受信してもよい。端末にスタイラスの使用記録があるため、入力操作１１３２に応答して、端末は、図１１ｄに示されるアクティブ−０Ｈｚ状態からアクティブ−４８０Ｈｚ状態に切り替わってもよい。図１１ｄに示すスマートアシスタント設定スクリーン１１４０上では、スタイラス設定制御１１４２がオン状態にある。換言すれば、端末のスタイラス機能が有効化されている。
【０１６４】
図１２ａ〜図１２ｄを参照する。図１２ａは、アクティブ−５Ｈｚ状態の端末によって表示される再起動スクリーン１２１０を示す。端末にスタイラスペンの使用記録がない。換言すれば、端末は、スタイラスの入力信号を受信していない。再起動スクリーン１２１０は、再起動キー１２１１と、電源オフキー１２１２とを含む。端末は、再起動スクリーン１２１０上の再始動キー１２１１上のユーザのタッチ操作１２１３（例えば、指タップ）を受信してもよい。タッチ操作１２１３に応答して、端末は再起動されてもよい。再起動後、端末は、図１２ｂに示すアクティブ−５Ｈｚ状態にあってもよい。
【０１６５】
図１２ｃは、アクティブ−４８０Ｈｚ状態の端末によって表示される再起動スクリーン１２３０を示す。端末にスタイラスの使用記録がある。換言すれば、端末は、スタイラスの入力信号を受信している。再起動スクリーン１２３０は、再起動キー１２３１と、電源オフキー１２３２とを含む。端末は、再起動スクリーン１２３０上の再起動キー１２３１上のスタイラスの入力操作１２３３（例えば、スタイラスのニブによるタップ）を受信してもよい。入力操作１２３３に応答して、端末は再起動されてもよい。再起動後、端末は、図１２ｄに示すアクティブ−４８０Ｈｚ状態にあってもよい。
【０１６６】
図１３ａ〜図１３ｄを参照する。図１３ａは、アクティブ−５Ｈｚ状態の端末によって表示される工場設定復元スクリーン１３１０を示す。端末にスタイラスペンの使用記録がない。換言すれば、端末は、図１３ａに示すスクリーンを表示する前に、スタイラスの入力信号を受信しない。工場設定復元スクリーン１３１０は、工場設定復元キー１３１１を含む。
【０１６７】
端末は、工場設定復元キー１３１１上のユーザのタッチ操作１３１２（例えば、指タップ）を受信してもよい。タッチ操作１３１２に応答して、端末は、工場設定を復元してもよい。端末によって復元された工場設定は、すべてのネットワーク設定、指紋、顔情報、ロックスクリーンパスワード、スタイラス機能設定などを含んでもよい。工場設定が復元された後、端末は、図１３ｂに示すアクティブ−５Ｈｚ状態にあってもよい。図１３ｂに示すアクティブ−５Ｈｚ状態では、端末にスタイラスの使用記録がない。
【０１６８】
図１３ｃは、アクティブ−４８０Ｈｚ状態の端末によって表示される工場設定復元スクリーン１３３０を示す。端末にスタイラスの使用記録がある。換言すれば、端末は、図１３ｃに示すスクリーンを表示する前に、スタイラスの入力信号を受信している。工場設定復元スクリーン１３３０は、工場設定復元キー１３３１を含む。端末は、工場設定復元スクリーン１３３０上の工場設定復元キー１３３１上のスタイラスの入力操作１３３２（例えば、スタイラスのニブによるタップ）を受信してもよい。入力操作１３３２に応答して、端末は、工場設定を復元してもよい。端末によって復元された工場設定は、ネットワーク設定、指紋設定、顔情報設定、ロックスクリーンのパスワード、スタイラス機能設定などを含む。工場設定が復元された後、端末は、図１３ｄに示すアクティブ−５Ｈｚ状態にあってもよい。図１３ｄに示すアクティブ−５Ｈｚ状態では、端末にスタイラスの使用記録がない。
【０１６９】
図１４ａ〜１４ｃを参照する。図１４ａは、スリープ−５Ｈｚ状態の端末のタッチスクリーン１４１０を示す。タッチスクリーン１４１０は、図６ｃに示すスリープ−５Ｈｚ状態または図７ｃに示すスリープ−５Ｈｚ状態の端末のタッチスクリーンであってもよい。図１４ａは、スタイラス１４１１をさらに示し、スタイラス１４１１上にキー１４１２がある。図１４ａに示すように、スタイラス１４１１上のキー１４１２は、ユーザの入力操作１４１３（例えば、押したまま）を受信してもよい。キー１４１２が押されるときに、スタイラスのニブによって出力される信号が変化する。端末は、タッチスクリーン１４１０上で、ユーザがキー１４１２を押したままにするスタイラス１４１１の入力操作１４１４（例えば、ニブタップ）を受信してもよい。入力操作１４１４（例えば、ニブタップ）に応答して、端末は、スタイラスのニブによる変化信号出力を検出し、スリープ−５Ｈｚ状態からアクティブ−４８０Ｈｚ状態に切り替わってもよい。具体的には、端末は、４８０Ｈｚでスタイラスの入力信号を検出し、図１４ｂに示すメモ編集スクリーン１４２０をタッチスクリーンに表示する。図１４ｂに示すように、端末は、スタイラス１４２１を使用することによって、メモ編集スクリーン１４２０上でユーザの書き込み操作１４２３を受信してもよい。書き込み操作１４２３に応答して、端末は、ピクチャ認識を介して書き込み操作１４２３の書き込み内容（例えば、テキスト）を認識し、そのコンテンツを保存してもよい。
【０１７０】
図１４ａの場合に加えて、端末は、代替的に、タッチスクリーンがスクリーンオン状態またはスクリーンロック状態にあるときにキー１４１４が押されるスタイラス１４１１の入力操作１４１４（例えば、ニブによってスクリーンをタップする）を受信してもよいし、あるいは、タッチスクリーンがホームスクリーンまたはＡＰＰアプリケーションスクリーンを表示する。入力操作１４１４に応答して、端末は、例えば、ＷｅｔＣｈａｔ、メッセージ、またはブラウザのようなテキストまたはドードルが入力され得るＡＰＰを自動的に開いてもよい。端末は、メモ編集スクリーンに入り、スタイラスペンの書き込み操作を記録してもよい。スタイラス上のキー１４１２が押された後、スタイラスのニブは、キー１４１２が押される前に、信号とは異なる信号を出力してもよい。ニブによって出力される信号は、電気信号（例えば、３０ＫＨｚ〜７０ＫＨｚの周波数の信号）であってもよい。ニブによる信号出力は、ニブによって感じられる圧力、スタイラスのキーステータス、スタイラスのＩＤシリアル番号などの情報を含んでもよい。オプションの場合では、スタイラスは、ブルートゥースなどを介して端末に接続されてもよい。ニブがタッチスクリーンに接触していることを検出した後、スタイラスは、ブルートゥースを介して、端末にスタイラスの検出周波数を調整し、メモを開くことを指示してもよい。
【０１７１】
可能な場合では、図１４ｃは、スリープ−５Ｈｚ状態の端末のタッチスクリーン１４３０を示す。タッチスクリーン１４３０は、図６ｃに示すスリープ−５Ｈｚ状態または図７ｃに示すＳｌｅｅｐ−５Ｈｚ状態の端末のタッチスクリーンであってもよい。図１４ｃは、さらにスタイラス１４３１を示し、スタイラス１４３１上にキー１４３２がある。図１４ｃに示すように、スタイラス１４３１上のキー１４３２は、ユーザの入力操作１４３３（例えば、押したまま）を受信してもよい。端末は、タッチスクリーン１４３０上で、ユーザがキー１４３２を押したままにするスタイラス１４３１の入力操作１４３４（例えば、ニブタップ）を受信してもよい。入力操作１４３４（例えば、ニブタップ）に応答して、端末は、スリープ−５Ｈｚ状態から図１４ｄに示すスリープ−４８０Ｈｚ状態に切り替わってもよい。スリープ−４８０Ｈｚ状態では、端末は、スタイラス１４４１の手書き１４４３を保存してもよい。
【０１７２】
可能な場合では、端末は、書き込み操作１４２３に対して応答を行い、書き込み操作１４２３の手書きをピクチャの形態で記憶してもよい。このようにして、端末がスクリーンオフ状態にあり、ユーザがスタイラス上のキーを押したままにし、端末のタッチスクリーンをスタイラスでタップするときに、端末は、ユーザによって書かれたコンテンツをタッチスクリーン上のスタイラスで迅速に記録して、ユーザに迅速な記録体験を提供する。
【０１７３】
図１５ａおよび図１５ｂを参照する。図１５ａは、アクティブ−４８０Ｈｚ状態の端末によって表示されるホームスクリーン１５１０を示す。ホームスクリーン１５１０は、１つ以上のアプリケーション（例えば、Ａｌｉｐａｙ、メモ、ミュージック、ＷｅＣｈａｔ、設定、カメラ、電話、メッセージ、および連絡先）アイコンを含んでもよい。図１５ａに示すように、スタイラス１５１１上のキー１５１２は、ユーザの押したまま動作１５１３を受信してもよい。端末は、ホームスクリーン上で、ユーザがキー１５１２を押したままにするスタイラス１５１１の入力操作１５１４（例えば、ニブによる押したまま）を受信してもよい。入力操作１５１４（例えば、ニブによる押したまま）に応答して、端末は、インテリジェントスクリーン読み上げ可能にしてもよい。インテリジェントスクリーン読み上げスクリーンが図１５ｂに示されてもよい。図１５ｂに示すように、インテリジェントスクリーン読み上げスクリーン１５２０は、インテリジェント認識領域１５２５を含んでもよい。インテリジェントスクリーン読み上げ領域１５２５のサイズは、調整されてもよい。端末は、インテリジェントスクリーン読み上げ領域１５２５内のテキストまたは画像を認識してもよい。例えば、端末のスクリーン読み上げ領域１５２５内のテキストは、「Ａｌｉｐａｙ」、「メモ」、「ミュージック」、「ＷｅＣｈａｔ」、「設定」、「カメラ」などを含む。図１５ａに示すホームスクリーン１５１０に加えて、ユーザはまた、スタイラスで別のスクリーン上でのインテリジェントスクリーン読み上げを可能にしてもよい。これは、本明細書において限定されない。このようにして、ユーザがスタイラス上のキーを押したままにし、スタイラスで端末のタッチスクリーンを押したままにするときに、インテリジェントスクリーン読み上げ機能が迅速に有効化され得る。これは、ユーザ体験を向上させる。
【０１７４】
図１６ａおよび図１６ｂを参照する。図１６ａは、アクティブ−４８０Ｈｚ状態の端末によって表示されるホームスクリーン１６１０を示す。ホームスクリーン１６１０は、１つ以上のアプリケーション（例えば、Ａｌｉｐａｙ、メモ、ミュージック、ＷｅＣｈａｔ、設定、カメラ、電話、メッセージ、および連絡先）アイコンを含んでもよい。図１６ａに示すように、スタイラス１６１１上のキー１６１２は、ユーザの押したまま動作１６１３を受信してもよい。端末は、ホームスクリーン上で、ユーザがキー１６１２を押したままにするスタイラス１６１１の入力操作１６１４（例えば、ニブによってホームスクリーン上の領域を囲う）を受信してもよい。入力操作１６１４（例えば、ニブによってホームスクリーン上の領域を囲う）に応答して、端末は、スクリーンショット機能を有効化し、ホームスクリーン１６１０上のスタイラスのニブによって囲われた領域を捕捉してもよい。スクリーンショットスクリーンは、図１６ｂに示されてもよい。図１６ｂに示すように、スクリーンショットスクリーン１６２０は、スタイラスのニブによって囲われた領域１６２４、共有キー、編集キー、保存キーなどを含んでもよい。可能な場合では、端末は、ホームスクリーン１６１０上で、ユーザがキー１６１２を押したままにするスタイラス１６１１のダブルタップ操作を受信してもよい。ダブルタップ操作に応答して、端末はスクリーンショット機能を有効化し、現在端末のディスプレイに表示されているホームスクリーン１６１０を捕捉してもよい。図１６ａに示すホームスクリーン１６１０に加えて、ユーザはまた、スタイラスで別のスクリーン上のスクリーンショット機能を有効化してもよい。これは、本明細書において限定されない。このようにして、ユーザがスタイラス上でキーを押したままにし、タッチスクリーン上の領域をスタイラスで囲うか、またはタッチスクリーンをスタイラスのニッブでダブルタップするときに、スクリーンショット機能が迅速に有効化されてもよい。これは、ユーザ体験を向上させる。
【０１７５】
図１７ａおよび図１７ｂを参照する。図１７は、アクティブ−４８０Ｈｚ状態の端末によって表示されるホームスクリーン１７１０を示す。ホームスクリーン１７１０は、１つ以上のアプリケーション（例えば、Ａｌｉｐａｙ、メモ、ミュージック、ＷｅＣｈａｔ、設定、カメラ、電話、メッセージ、および連絡先）アイコンを含んでもよい。図１７ａに示すように、スタイラス１７１１上のキー１７１２は、ユーザの押したまま動作１７１４を受信してもよい。端末は、ホームスクリーン１６１０上で、ユーザがキー１７１２を押したままにするスタイラス１７１１の入力操作１７１４（例えば、ニブによってタッチスクリーンの中心に水平線を引く）を受信してもよい。入力操作１７１４  （例えば、ニブによるタッチスクリーンの中心に水平線を引く）  に応答して、端末は、スクリーン分割機能を有効化してもよく、スクリーン分割後の端末のスクリーンは、図１７ｂに示されてもよい。図１７ｂに示すように、スクリーン分割後の２つのスクリーンは、ミュージック再生スクリーン１７２０およびアルバムアプリケーションスクリーン１７３０であってもよい。図１７ａに示されるホームスクリーン１７１０に加えて、ユーザはまた、スタイラスで別のスクリーン上のスクリーン分割機能を有効化してもよい。これは、本明細書において限定されない。このようにして、ユーザがスタイラス上でキーを押したままにして、スタイラスでタッチスクリーンの中心に水平線を描くときに、スクリーン分割機能が迅速に有効化され得る。これは、ユーザ体験を向上させる。
【０１７６】
可能な場合では、端末は、ユーザの入力操作を受信する。入力操作に応じて、端末のスタイラス機能が無効化されてもよい。端末のスタイラス機能が無効化されているときに、端末は、第１の周波数（例えば、５Ｈｚ）でスタイラスの入力信号を検出してもよい。。
【０１７７】
図１８ａ〜図１８ｄを参照する。図１８ａに示すように、端末のスタイラス機能は有効化されており、端末は、アクティブ−５Ｈｚ状態にあるが、端末にユーザによるスタイラスの使用記録がない。スマートアシスタント設定スクリーン１８１０は、スタイラス設定バー１８１１と、別の設定バー（例えば、インテリジェントスクリーン読み上げ設定バー、片手操作設定バー、モーション制御設定バー、音声制御設定バー、スマートカバーモード設定バー、手袋モード設定バー、および電源オン／オフのスケジュール設定バー）とを含んでもよい。スタイラス設定バー１８１１は、スタイラス設定制御１８１２に関連付けられる。図１８ａでは、スタイラス設定制御１８１２は、オン状態にある。換言すれば、端末のスタイラス機能が有効化されている。端末は、スマートアシスタント設定スクリーン１８１０上のスタイラス設定制御１８１２上のユーザのタッチ操作１８１３（例えば、タップ）を受信してもよい。タッチ操作１８１３に応答して、スタイラス機能は、端末上で無効化され、端末は、アクティブ−５Ｈｚ状態に維持する。図１８ｂに示すスマートアシスタント設定スクリーン１８２０上では、スタイラス設定制御１８２２はオフ状態にある。換言すれば、端末のスタイラス機能は無効化されている。端末上のスタイラス機能が無効化されている、すなわち、図１８ａのスタイラス設定制御１８１２がオフ状態であるときに、端末は、第１の周波数（例えば、５Ｈｚ）の検出周波数でスタイラスの入力信号を検出する。スタイラス設定制御１８１２がオフ状態にあり、端末が第１の周波数（例えば、５Ｈｚ）の検出周波数でスタイラスの入力信号を検出するときに、端末がスタイラスの入力操作（例えば、タップ）に応答して、タッチスクリーン上のスタイラスの入力操作（例えば、タップ）を受信する場合、端末は、４８０Ｈｚの周波数でスタイラスの入力信号を検出する。
【０１７８】
図１８ｃに示すように、端末上のスタイラス機能は有効化されており、端末はアクティブ−４８０Ｈｚの状態にあるが、端末にユーザによるスタイラスの使用記録がない。スマートアシスタント設定スクリーン１８３０は、スタイラス設定バー１８３１と、別の設定バー（例えば、インテリジェントスクリーン読み上げ設定バー、片手操作設定バー、モーション制御設定バー、音声制御設定バー、スマートカバーモード設定バー、手袋モード設定バー、および電源オン／オフのスケジュール設定バー）とを含んでもよい。スタイラス設定バー１８３１は、スタイラス設定制御１８３２に関連付けられる。図１８ｃでは、スタイラス設定制御１８３２は、オン状態にある。換言すれば、端末のスタイラス機能が有効化されている。端末は、スマートアシスタント設定スクリーン１８３０上のスタイラス設定制御１８３２上で、ユーザのタッチ操作１８３３（例えば、タップ）を受信してもよい。タッチ操作１８３３に応答して、端末上のスタイラス機能は無効化され、端末は、アクティブ−４８０Ｈｚ状態からアクティブ−５Ｈｚ状態に切り替わる。図１８ｄに示すスマートアシスタント設定スクリーン１８４０上では、スタイラス設定制御１８４２はオフ状態にある。換言すれば、端末のスタイラス機能は無効化されている。スタイラス機能が無効化された後、端末は５Ｈｚの検出周波数でスタイラスの入力信号を検出してもよい。
【０１７９】
このようにして、ユーザが初めてスタイラスを使用するときに、端末がユーザのスタイラス入力操作に迅速に応答を行ってもよいことが保証され得る。これは、ユーザ体験を向上させる。
【０１８０】
可能な場合では、端末のスタイラス機能が有効化されているときに、端末はスタイラスを検証してもよい。検証が成功した後、端末は、図１４ａ〜図１４ｄ、図１５ａおよび図１５ｂ、図１６ａおよび図１６ｂ、ならびに図１７ａおよび図１７ｂに示すスタイラス機能を実行してもよい。
【０１８１】
図１９ａ〜図１９ｄを参照する。図１９ａに示すように、端末上のスタイラス機能は無効化されており、端末はアクティブ−０Ｈｚ状態にある。設定スクリーン１９１０は、スマートアシスタント設定バー１９１１と、別の設定バー（例えば、サウンド設定バー、通知センター設定バー、アプリケーション管理設定バー、バッテリ設定バー、記憶設定バー、セキュリティとプライバシー設定バー、およびユーザとアカウント設定バー）とを含んでもよい。端末は、スマートアシスタント設定バー１９１１上のユーザのタッチ操作１９１２（例えば、タップ）を受信してもよい。タッチ操作１９１２に応答して、端末は、タッチスクリーン上に、図１９ｂに示されるスマートアシスタント設定スクリーン１９２０を表示してもよい。スマートアシスタント設定スクリーン１９２０は、スタイラス設定バー１９２１と、別の設定バー（例えば、インテリジェントスクリーン読み上げ設定バー、片手操作設定バー、モーション制御設定バー、音声制御設定バー、スマートカバーモード設定バー、手袋モード設定バー、電源オン／オフのスケジュール設定バー）とを含んでもよい。端末は、スタイラス設定バー１９２１上のユーザのタッチ操作１９２２（例えば、タップ）を受信してもよい。端末は、タッチ操作１９１２（例えば、タップ）に応答して、４８０Ｈｚの周波数でスタイラスの入力信号を検出し、図１９ｃに示すスタイラス設定スクリーン１９３０を表示する。スタイラス設定スクリーン１９３０は、スタイラス機能の概要（例えば、クイックノート）および検証ポップアップウィンドウ１９４０を表示する。図１９ｃに示すように、検証ポップアップウィンドウ１９４０は、塗りつぶし円１９４１と穴あき円１９４２とを含み、端末は、塗りつぶし円１９４１上のスタイラス１９４３の入力操作１９４４（例えば、ニブによって穴あき円１９４１を穴あき円１９４２の位置にドラッグする）を受信してもよい。入力操作１９４４に応答して、端末は、スタイラスの検証に成功し、図１９ｄに示す検証成功ポップアップウィンドウ１９５０がポップアップする。検証成功ポップアップウィンドウ１９５０は、スタイラス上の検証が完了したことをユーザに促してもよい。検証が成功した後、端末は、図１４ａから図１４ｄ、図１５ａおよび図１５ｂ、図１６ａおよび図１６ｂ、ならびに図１７ａおよび図１７ｂに示すスタイラス機能を実行することができる。可能な場合では、端末がユーザの指が塗りつぶしの円１９４１をドラッグすることを検出した場合、ユーザ指が塗りつぶし円を指定された範囲（穴あき円１９４２の位置ではない）にドラッグした後、塗りつぶし円１９４１は開始点に戻る。塗りつぶし円１９４１上のスタイラス１９４３の入力操作１９４４が途中で終了すると、検証は失敗する。検証インターフェース１９３０が再入力されるときに、スタイラスが検証に成功し、有効化されるまで、検証ポップアップウィンドウ１９４０がポップアップする。
【０１８２】
クイックノートのような機能は、スタイラスの検証が成功した後にのみ端末で有効化することができる。スタイラスのキーを操作して端末の近くに移動し、端末が自動的にメモ帳スクリーンを表示する。検証に失敗したときに、スタイラスのキーを操作して端末の近くに移動した場合、端末は自動的にメモ帳スクリーンを表示しない。
【０１８３】
図２０を参照する。図２０は、この出願の一実施形態によるスタイラスシステムのアーキテクチャ図である。図１９に示すように、この出願におけるスタイラスシステムのために設計された構成要素またはモジュールは、スタイラス、タッチ制御チップ、ドライバシステム、入力システム、イベントハブ、ボトム層情報読み取り、およびアプリケーションのようなソフトウェアおよびハードウェアアーキテクチャを含む。この出願のスタイラスは、プロアクティブ容量性スタイラスである。。タッチ制御チップは、主にデジタルフロントエンド、アナログバックエンドなどのチップモジュールを含み、ドライバシステムの物理的な送受信検出チャネルによって送信、取得される静電容量信号を処理し、増幅する役割を担う。
【０１８４】
スタイラスを有効化するプロセスは、以下のとおりとしてもよい：
【０１８５】
１．スタイラスでは、物理キーを押す、線を引く、タップする、ダブルタップするなどの操作を有効化操作が実行される。
【０１８６】
２．端末は、ドライバシステムで動作するスタイラスの登録および処理を完了する。
【０１８７】
３．端末は、イベント・ハブ（ｅｖｅｎｔ  ｈｕｂ）にイベントを配信する。ボトム層の情報を読み取った後、異なるスタイラス（ペンスタイラス）イベントとストローク情報に基づいて、キーの押し情報または解除情報を読み取る。
【０１８８】
４．端末は、異なるＡＰＰアプリケーションに応答を行う。例えば、スタイラスがスクリーンをダブルタップするとき、またはキーが押されるときにスタイラスがスクリーンをタップするときに、端末は、メモアプリケーションを有効化にしてもよい。別の例では、キーが押されるときにスタイラスがスクリーンをダブルタップするときに、端末は、スクリーンショット機能を有効化してもよい。別の例では、キーが押されるときにスタイラスがスクリーン上に線を引くときに、端末は、スクリーン分割機能を有効化してもよい。別の例では、キーが押されるときにスタイラスのニブがスクリーンを押したままにするときに、端末は、スクリーン読み取り機能を有効化してもよい。前述の例は、この出願を説明するためにのみ使用されるものであって、限定を構成するものではない。
【０１８９】
図２１を参照する。図２１は、この出願の一実施形態による、スタイラスのスマートスイッチの状態図である。図２１に示すように、この出願におけるスタイラスのスマートスイッチに関連する３状態（ｓｔａｔｅ）スイッチは、Ｓ１：通常周波数検出、Ｓ２：  ５Ｈｚ低周波数検出、およびＳ３：完全に無効化である。オプションの２つの状態（選択肢）は、Ｃ１：オン（デフォルト状態）とＣ２：オフを含む。１つの感知しにくい状態は、Ｓ２：  ５Ｈｚ低周波数検出に対応する。ユーザが初めてスタイラス検出を有効化するときに、端末は、通常周波数検出に切り替わり、準安定状態となる。
【０１９０】
図２２を参照する。図２２は、この出願の一実施形態によるスタイラスのスマートスイッチの状態図である。図２２に示すように、この出願におけるスタイラスのスマートスイッチは、主に以下のシナリオの状態切り替えを含む：
【０１９１】
１．初期状態は低周波数検出である。
【０１９２】
２．初めてスタイラス検出を有効にした場合、通常周波数が検出のために使用される。
【０１９３】
３．通常状態とは、スタイラスを有するユーザのために、通常周波数検出が維持されるものである。
【０１９４】
４．端末が再起動された後、通常周波数検出が依然として維持される。
【０１９５】
５．端末が工場設定を復元するときに、低周波数検出状態が復元される。
【０１９６】
６．スタイラスを使用する必要のないユーザが消費電力を気にするときに、端末は、ユーザの入力を受信し、スイッチをオフにする。
【０１９７】
７．端末は、スイッチを再びオンにするためにユーザの入力を受信するときに、ユーザがスタイラスの使用履歴を有するかどうかを区別してもよく、ユーザがスタイラスの使用履歴を有する場合、端末は、高周波数検出状態に切り替わる。
【０１９８】
８．端末にスタイラスの使用履歴がない場合、端末は、低周波数検出状態、すなわち初期状態に切り替わる。
【０１９９】
この出願において図２２に示す実施形態によれば、スタイラスを有するユーザが初めてスタイラスを使用するときに、端末は、スタイラス機能を有効化し、ユーザがスタイラスを使用したことを記録し、高周波数でスタイラスの入力信号を検出することを維持してもよい。端末上にユーザによるスタイラスの使用の記録がないときに、スタイラスの入力信号は低周波数で検出されてもよい。端末の電源が入ったり、再起動したりするときに、電源が入る前や再起動前の検知状態が維持されてもよい。端末が工場設定を復元するときに、端末は、初期状態に復元してもよい。端末のスタイラス機能が無効化されているときに、スタイラスの入力信号が検出されなくてもよい。端末にユーザによるスタイラスの使用記録がある場合、端末上のスタイラス機能が有効化されているときに、端末は、高周波数でスタイラスの入力信号を検出してもよい。端末にユーザによるスタイラスの使用記録がない場合、端末上のスタイラス機能が有効化されているときに、端末は、低周波数でスタイラスの入力信号を検出してもよい。端末は、前述の複数のシナリオにおいて検出状態を実施することによって、ユーザ体験と電力消費との間のバランスを実施してもよい。
【０２００】
図２３を参照する。図２３は、この出願の一実施形態による、タッチ構成要素の動作状態の切り替え図である。図２３に示すように、タッチ構成要素の動作状態切替図を以下のように示してもよい：
【０２０１】
１．初期状態はＱ１：アクティブ−５Ｈｚ状態である。スタイラスがあるかどうかは、５Ｈｚの周波数でチェックされる。
【０２０２】
２．スタイラスが接近するときに、端末のスタイラススイッチがオンになり、タッチ構成要素はＱ４：アクティブ−４８０Ｈｚ状態に入る。
【０２０３】
３．タッチなし（Ｎｏ  Ｔｏｕｃｈ）イベントが発生する場合、タッチ構成要素はＱ２：アイドル−５Ｈｚの状態に入り、５Ｈｚの周波数でスタイラスを検出する。タッチ（Ｔｏｕｃｈ）イベントがあるときに、タッチ構成要素はアクティブ−５Ｈｚ状態に戻りる。
【０２０４】
４．スクリーンがオフになるときに、タッチ構成要素はＱ３：スリープ−５Ｈｚ状態に入りる。
【０２０５】
５．スタイラスが接近するときに、タッチ構成要素はＱ２：アイドル−５Ｈｚ状態またはＱ３：スリープ−５Ｈｚ状態からアクティブ−４８０Ｈｚ状態に切り替わってもよい。
【０２０６】
６．タッチ構成要素がＱ４：アクティブ−４８０Ｈｚに入った後、タッチなし（Ｎｏ  Ｔｏｕｃｈ）イベントが発生するときに、タッチ構成要素はＱ５：アイドル−６０Ｈｚ状態に切り替わり、タッチイベントがあるときに、タッチ構成要素はＱ４：  アクティブ−４８０Ｈｚに戻る。
【０２０７】
７．端末がスクリーンオフにされるときに、タッチ構成要素はＱ５：アイドル−６０Ｈｚからスリープ−５Ｈｚ状態に入る。
【０２０８】
８．スタイラスが接近するときに、タッチ構成要素はＱ５：アイドル−６０Ｈｚ状態、Ｑ６：スリープ−５ＨｚからＱ４：  アクティブ−４８０Ｈｚ状態に入る。
【０２０９】
９．端末のスタイラス機能のスイッチがオフにされるときに、Ｑ４：  アクティブ−４８０Ｈｚ状態は初期状態、すなわちＱ１：アクティブ−５Ｈｚに復元される。
【０２１０】
図２３に示す実施形態で詳細に説明されていないコンテンツについては、図６ａ〜図６ｃおよび図７ａ〜図７ｃの実施形態を参照のこと。本明細書において、詳細は説明しない。
【０２１１】
この出願の図２３に示す実施形態で提供される、３つの状態スイッチ、２つのオプション状態、感知しにくい状態、およびユーザの挙動に基づくインテリジェントスイッチングのスイッチ設計方式に基づいて、端末は、低電力消費で、ユーザの指およびスタイラスの複数の操作挙動のインテリジェントスイッチングを実施してもよい。これによって、ユーザ体験が保証される。
【０２１２】
図２４を参照する。図２４は、この出願の一実施形態によるスタイラスのスマートスイッチの状態図である。図２４に示すように、端末上のスタイラス機能は、デフォルトでは無効化されている。端末のスタイラス機能が無効化されているときに、端末は、低周波数（例えば、５Ｈｚ）でスタイラスの入力信号を検出してもよい。端末にユーザによるスタイラスの使用記録がない場合、端末は、低周波数（例えば、５Ｈｚ）でスタイラスの入力信号を検出することを維持する。端末にユーザによるスタイラスの使用記録がある場合、スタイラスを有するユーザがスタイラススイッチをオンにすると、端末上のタッチ構成要素は、通常周波数でスタイラスの入力信号を検出してもよい。
【０２１３】
この出願における図２４に示すスタイラスのスマートスイッチの状態図によれば、ユーザが初めてスタイラスを使用するときに、端末はユーザのスタイラス入力操作に迅速に応答を行ってもよいことが保証され得る。。これは、ユーザ体験を向上させる。
【０２１４】
図２５を参照する。図２５は、この出願の一実施形態による、スタイラスによって出力される信号の概略図である。図２５に示すように、スタイラスのニブによって出力される信号は、固定された二重周波数点を介して送信され、ニブは、時分割方式で二重周波数点信号を送信してもよい。同期信号の周波数は、別々に、同期信号１の周波数および同期信号３の周波数、ｆ１＝１７６．３７  ＫＨｚであってもよく、同期信号２の周波数と同期信号４の周波数、ｆ２＝２５２．４９ＫＨｚであってもよい。ニブの表示パルス信号インク（例えば、インク１、インク２、インク３、またはインク４）の値が１である場合、端末が二ブの書き込みトレースを表示する必要があることを指示する。パルス信号インク（例えば、インク１、インク２、インク３、またはインク４）の値が０である場合、端末のタッチスクリーン上でニブが浮動状態にあることを指示する。パルス信号ａ０〜ａ１１は、４０９６レベルのスタイラス圧のタッチ感を表してもよい。パルス信号ａ１２は、スタイラス上のキー１が押されているかどうかを指示してもよい（例えば、パルス信号ａ１２の値が１である場合、キー１が押され、パルス信号ａ１２の値が０である場合、キー１は押されない）。パルス信号ａ１２は、スタイラス上のキー１が押されているかどうかを指示してもよい（例えば、パルス信号ａ１３の値が１である場合、キー２が押され、パルス信号ａ１３の値が０である場合、キー２は押されない）。パルス信号ｂ０〜ｂ１１は、４０９６レベルのスタイラス圧のタッチ感を表してもよい。パルス信号ｂ１２は、スタイラス上のキー１が押されているかどうかを指示してもよい（例えば、パルス信号ｂ１２の値が１である場合、キー１が押され、パルス信号ｂ１２の値が０である場合、キー１は押されない）。パルス信号ｂ１２は、スタイラス上のキー１が押されているかどうかを指示してもよい（例えば、パルス信号ｂ１３の値が１である場合、キー２が押され、パルス信号ｂ１３の値が０である場合には、キー２は押されない）。スタイラスのこの二重周波数作動モードは、ノイズ防止能力を向上させ、固定周波数が別のノイズ信号によって干渉されるのを防止することができる。
【０２１５】
可能な場合では、端末がノイズ干渉（例えば、端末の充電中のノイズ干渉）のためにスタイラスの入力信号を検出するときに、端末は誤ってノイズ干渉をスタイラスの入力信号とみなし、スタイラスの検出周波数を切り替える可能性がある。ノイズ干渉による誤操作を除去するために、以下の解決策を端末が使用してもよい。
【０２１６】
１．ノイズはバーストされ、ノイズの持続時間は比較的短いため、スタイラスの入力信号を検出するとき、端末は検出信号の持続時間がプリセット期間よりも小さいどうかを決定してもよい。検出された信号の持続時間がプリセット期間よりも小さい場合、端末は、検出された信号がノイズ信号であると決定してもよい。この場合、端末はノイズ信号を無視してもよく、スタイラスの検出周波数を切り替える動作を行わない。例えば、端末が５Ｈｚの周波数でスタイラスの入力信号を検出し、スタイラスのニブによって出力される信号の２つの周波数の結合期間がＴである（例えば、Ｔ＝２×４１６７ｕｓ）ときに、端末は、タッチスクリーンを介して信号１を検出し、端末は、信号１の持続時間がＴより小さいかどうかを判定してもよい。はいの場合、端末は信号１を無視してもよく、スタイラスの検出周波数を切り替えず、５Ｈｚの周波数でスタイラスの入力信号を検出し続ける。
【０２１７】
２．ノイズがランダムに生成されるため、タッチセンサによって受信されるノイズ信号の座標範囲は小さく、タッチセンサ上のスタイラスのニブの接触範囲よりも小さい。したがって、スタイラスの入力信号を検出するときに、端末は、検出された信号の受信座標位置によって形成される領域がプリセット範囲未満であるかどうかを決定してもよい。その領域がプリセット範囲未満である場合、端末は、検出された信号がノイズ信号であると判定してもよい。この場合、端末はノイズ信号を無視してもよく、スタイラスの検出周波数を切り替える動作を行わない。例えば、端末が５Ｈｚの周波数でスタイラスの入力信号を検出するときに、センサ上のニブの接触領域は、タッチセンサ上の３つの隣接する座標点領域の範囲であってもよい。端末は、タッチスクリーンを介して信号２を検出し、端末は、信号２の受信座標位置によって形成される領域が、タッチセンサ上の３つの隣接する座標点領域の範囲よりも小さいかどうかを決定してもよい。はいの場合、端末は信号２を無視し、スタイラスの検出周波数を切り替えず、５Ｈｚの周波数でスタイラスの入力信号を検出し続ける。
【０２１８】
本実施形態で提供される前述の２つのノイズフィルタリングソリューションは、端末によって別々に実行されてもよく、または組み合わせで実行されてもよい。ノイズフィルタリング解決策によれば、端末は、ノイズにより生じる誤操作を防止し、端末の消費電力を低減し得る。
【０２１９】
図２６を参照する。図２６は、この出願の一実施形態によるスタイラス検出方法の概略フローチャートである。図２６に示すように、本方法は、以下のステップを含んでもよい。
【０２２０】
Ｓ２６０１：端末が第１の周波数でスタイラスの入力信号を検出する。
【０２２１】
例えば、第１の周波数の値範囲は、２Ｈｚ〜１０Ｈｚであってもよい。特定の実施態様では、第１の周波数は、端末が前述の実施形態においてアクティブ−５Ｈｚ状態、アイドル５−Ｈｚ状態、またはスリープ５−Ｈｚ状態にあるときに、端末がスタイラスの入力信号を検出する周波数であってもよい。換言すれば、第１の周波数は５Ｈｚであってもよい。端末によるスタイラスの検出プロセスについては、図３、図４および図５に示す実施形態を参照のこと。詳細は、ここでは再度説明しない。
【０２２２】
Ｓ２６０２：端末は、タッチスクリーンを介してスタイラスの第１の入力を受信する。
【０２２３】
Ｓ２６０３：端末は、第１の入力に応答して、第２の周波数でスタイラスの入力信号を検出する。
【０２２４】
例えば、第２の周波数の値範囲は、３００Ｈｚ〜６００Ｈｚであってもよい。特定の実施形態では、第１の周波数は、端末が前述の実施形態におけるアクティブ−４８０Ｈｚ状態、アイドル−４８０Ｈｚ状態、またはスリープ−４８０Ｈｚ状態にあるときに端末がスタイラスの入力信号を検出する周波数であってもよい。換言すれば、第２の周波数は４８０Ｈｚであってもよい。
【０２２５】
例えば、スタイラスの第１の入力は、スタイラスのニブによってスクリーンをタップする、スライドしたままにする、ダブルタップする、ドラッグするなどの入力であってもよい。端末がスタイラスの第１の入力を受信することは、端末がスタイラスの入力信号を検出することである。図７ｃに示すスリープ−５Ｈｚ状態では、スタイラスのニブがスクリーンをタップした後、端末は、タッチスクリーンを介してスタイラスの入力信号を検出してもよいし、端末は、図７ｃに示すスリープ−５Ｈｚ状態から図７ａに示すアクティブ−４８０Ｈｚ状態に切り替わってもよい。代替的には、スタイラスの第１の入力は、図１４ａに示される入力操作１４１４、または図１４ｃに示される入力操作１４３４であってもよい。これらの例は、単にこの出願を説明するために使用されるものであって、限定を構成するものではない。具体的な内容については、前述の実施形態を参照のこと。詳細は、ここでは再度説明しない。
【０２２６】
Ｓ２６０４：端末が第２の周波数でスタイラスの入力信号を検出し、端末がスタイラスの入力信号を検出しない持続時間が第１の期間よりも大きい場合、端末は、第３の周波数でスタイラスの入力信号を検出する。第２の周波数は第３の周波数よりも大きく、第３の周波数は第１の周波数よりも大きい。
【０２２７】
例えば、第２の周波数の値範囲は、３０Ｈｚ〜１００Ｈｚであってもよい。特定の実施形態では、第１の周波数は、端末が前述の実施形態においてアクティブ６０Ｈｚ状態またはスリープ６０Ｈｚ状態にあるときに端末がスタイラスの入力信号を検出する周波数であってもよい。換言すれば、第３の周波数は６０Ｈｚであってもよい。
【０２２８】
例えば、第１の期間は、３０秒、１分、２分またはそれより長くてもよい。図７ａ〜図７ｃに示すように、端末が図７ａに示すアクティブ−４８０Ｈｚ状態にあるときに、端末は、第２の周波数（４８０Ｈｚ）でスタイラスの入力信号を検出する。端末がスタイラスの入力信号を検出しない持続時間が第１の期間（３０ｓ）よりも大きい場合、端末は図７ｂに示すアイドル−６０Ｈｚの状態にあり、第３の周波数（６０Ｈｚ）でスタイラスの入力信号を検出してもよい。図８ａ〜図８ｄに示すように、端末が図８ａに示すアクティブ−４８０Ｈｚ状態にあるときに、端末は第２の周波数（４８０Ｈｚ）でスタイラスの入力信号を検出する。端末がスタイラスの入力信号を検出しない持続時間が、第１の期間（３０ｓ）よりも大きい場合、端末は、図８ｂに示すアクティブ−６０Ｈｚ状態にあり、第３の周波数（６０Ｈｚ）でスタイラスの入力信号を検出してもよい。図８ａ〜図８ｄに示すように、端末が図８ｃに示すアイドル−４８０Ｈｚ状態にあるときに、端末は、第２の周波数（４８０Ｈｚ）でスタイラスの入力信号を検出する。端末がスタイラスの入力信号を検出しない持続時間が第１の期間（３０ｓ）よりも大きい場合、端末は図８ｄに示されるアイドル−６０Ｈｚの状態にあり、第３の周波数（６０Ｈｚ）でスタイラスの入力信号を検出してもよい。この例は、単にこの出願を説明するために使用されるものであって、限定を構成するものではない。
【０２２９】
この出願のこの実施形態によれば、端末は、低周波数（第１の周波数）でスタイラスの入力信号を検出してもよい。スタイラスの入力信号が検出されるときに、端末は、スタイラスの入力信号を検出するために、高周波数（第２の周波数）に迅速に切り替わり、スタイラスを迅速に使用するというユーザ体験を達成し得る。端末が高周波数（第２の周波数）でスタイラスの入力信号を検出するときに、端末が一定期間（例えば、３０秒〜６０秒）内にスタイラスの入力信号を検出しない場合、端末は、検出周波数を中間周波数（第３の周波数）に低減し、節電方式でスタイラスの入力信号が再び到達するのを待機してもよい。このようにして、スタイラスの入力信号が再び到着するときに、端末は、応答を行うために高周波数（第２の周波数）状態に迅速に戻り、再び到着したスタイラスの入力信号に対応する動作を迅速に実行してもよい。これは、ユーザ体験を向上させる。
【０２３０】
可能な場合では、端末が第３の周波数でスタイラスの入力信号を検出するときに、端末がスタイラスの入力信号を検出しない持続時間が第２の期間よりも大きい場合、端末は、第１の周波数でスタイラスの入力信号を検出する。換言すれば、スタイラスの入力信号が長時間到着しないときに、端末は、電力消費を低減するために、スタイラスの入力信号の検出周波数を低減し得る。
【０２３１】
例えば、第２の期間は、３０秒、１分、２分、またはそれよりも長くてもよい。例えば、第１の周波数は５Ｈｚであり、第３の周波数は６０Ｈｚである。図７ｂおよび図７ｃに示すように、端末が図７ｂに示すアイドル−６０Ｈｚ状態（アイドル−６０Ｈｚ状態では、端末は、６０Ｈｚの周波数でスタイラスの入力信号を検出する）にあるときに、端末がタッチスクリーンを介してスタイラスの入力信号を検出せず、端末がタッチスクリーンを介してユーザタッチ操作の入力信号を検出しない持続時間が第２の時間（例えば、３０秒、１分、２分、またはそれよりも長い）よりも大きい場合、端末は、図７ｂに示すアイドル−６０Ｈｚ状態から図７ｃに示すスリープ−５Ｈｚ状態（スリープ−５Ｈｚ状態では、端末は、５Ｈｚの周波数でスタイラスの入力信号を検出する）に切り替わり得る。端末は、スタイラスの入力信号の検出周波数を第３の周波数から第１の周波数に切り替える。詳細は、他の実施形態を参照のこと。詳細は、ここでは再度説明しない。
【０２３２】
可能な場合では、端末が第３の周波数でスタイラスの入力信号を検出するときに、端末がスタイラスの第２の入力を受信した場合、端末は、スタイラスの第２の入力に応答して第２の周波数でスタイラスの入力信号を検出する。換言すれば、スタイラスの入力信号が再び到着するときに、端末は、スタイラスの入力信号の検出周波数を増加させて、端末がスタイラスの入力信号に対して対応する応答動作を迅速に実行できるようにし得る。
【０２３３】
例えば、スタイラスの第２の入力は、スタイラスのニブによってスクリーンをタップする、スライドしたままにする、ダブルタップする、またはドラッグするなどの入力であってもよい。端末がスタイラスの第２の入力を受信することは、端末がスタイラスの入力信号を検出することである。第２の周波数は４８０Ｈｚであってもよく、第３の周波数は６０Ｈｚであってもよい。図７ｂに示すアイドル−６０Ｈｚ状態（アイドル−６０Ｈｚ状態では、端末は、６０Ｈｚの周波数でスタイラスの入力信号を検出する）では、スタイラスのニブがスクリーンをタップした後、端末は、タッチスクリーンを介してスタイラスの入力信号を検出する。端末は、図７ｂに示すアイドル−６０Ｈｚ状態から、図７ａに示すアクティブ−４８０Ｈｚ状態（アクティブ−４８０Ｈｚ状態では、端末は、４８０Ｈｚの周波数でスタイラスの入力信号を検出する）に切り替わり得る。図８ｂに示すアクティブ−６０Ｈｚ状態（アクティブ−６０Ｈｚ状態では、端末は、６０Ｈｚの周波数でスタイラスの入力信号を検出する）では、スタイラスのニブがスクリーンをタップした後、端末は、タッチスクリーンを介してスタイラスの入力信号を検出する。端末は、図８ｂに示すアクティブ−６０Ｈｚ状態から、図８ａに示すアクティブ−４８０Ｈｚ状態に切り替わり得る。図８ｄに示すアイドル−６０Ｈｚ状態（アイドル−６０Ｈｚ状態では、端末は、６０Ｈｚの周波数でスタイラスの入力信号を検出する）では、スタイラスのニブがスクリーンをタップした後、端末は、タッチスクリーンを介してスタイラスの入力信号を検出する。端末は、図８ｄに示すアイドル−６０Ｈｚ状態から図８ｃに示すアイドル−４８０Ｈｚ状態（アイドル−４８０Ｈｚ状態では、端末は、４８０Ｈｚの周波数でスタイラスの入力信号を検出する）に切り替わり得る。これらの例は、単にこの出願を説明するために使用されるものであって、限定を構成するものではない。具体的な内容については、前述の実施形態を参照されたい。詳細は、ここでは再度説明しない。
【０２３４】
可能な場合では、端末は、端末が第２の周波数でスタイラスの入力信号を検出するときに、ユーザの第３の入力を受信する。第３の入力に応答して、端末はタッチスクリーンをオフにし、第１の周波数でスタイラスの入力信号を検出する。換言すれば、端末は、スタイラスの入力信号を高周波数（第２の周波数）で検出すると、検出するときに、端末がスクリーンオフ状態にある場合、端末は、低周波数でスタイラスの入力信号を検出して電力消費を低減してもよく、さらに、ユーザがスクリーンをオフにしたときにスタイラスの入力信号に応答して対応する動作を実行して、ユーザのスタイラス使用体験を向上させることができる。
【０２３５】
例えば、第３の入力は、ユーザのスクリーンオフ操作（例えば、電源キーを一度押す）であってもよい。例えば、端末が４８０Ｈｚの周波数でスタイラスの入力信号を検出すると、検出するときに、端末は、ユーザのスクリーンオフ操作を受信する。スクリーンオフ操作に応答して、端末は、スタイラスの検出周波数を４８０Ｈｚから５Ｈｚに切り替える。特定の内容については、図７ａ〜図７ｃおよび図８ａ〜図８ｄに示される実施形態を参照のこと。詳細は、ここでは再度説明しない。
【０２３６】
可能な場合、端末は、端末が第３の周波数でスタイラスの入力信号を検出したときに、ユーザの第４の入力を受信する。第４の入力に応答して、端末はタッチスクリーンをオフにし、第１の周波数でスタイラスの入力信号を検出する。換言すれば、端末は、中間周波数（第３の周波数）でスタイラスの入力信号を検出すると、検出するときに、端末がスクリーンオフ状態にある場合、端末は、低周波数でスタイラスの入力信号を検出して電力消費を低減し、さらに、ユーザがスクリーンをオフにしたときにスタイラスの入力信号に応答して対応する動作を実行して、ユーザのスタイラス使用体験を向上させることができる。
【０２３７】
例えば、第４の入力は、ユーザのスクリーンオフ操作（例えば、電源キーを一度押す）であってもよい。例えば、端末が６０Ｈｚの周波数でスタイラスの入力信号を検出すると、検出するときに、端末はユーザのスクリーンオフ操作を受信する。スクリーンオフ操作に応答して、端末は、スタイラスの検出周波数を６０Ｈｚから５Ｈｚに切り替える。特定の内容については、図７ａ〜図７ｃおよび図８ａ〜図８ｄに示す実施形態を参照のこと。詳細は、ここでは再度説明しない。
【０２３８】
可能な場合には、端末が第２の周波数でスタイラスの入力信号を検出すると、検出するときに、端末は、タッチスクリーンを介して第１の検出状態でユーザのタッチ入力を検出する。第１の検出状態では、端末は、第４の周波数では相互静電容量検出方式で、第５の周波数では自己静電容量検出方式でユーザのタッチ入力を検出する。
【０２３９】
例えば、第１の検出状態は、前述の実施形態におけるアクティブ状態であってもよい。第４の周波数は１２０Ｈｚであってもよく、第５の周波数は１２０Ｈｚであってもよい。端末がアクティブ−４８０Ｈｚ状態にあるときに、端末は、１２０Ｈｚ相互静電容量検出周波数および１２０Ｈｚ自己静電容量検出周波数で、タッチスクリーンを介してタッチ操作の入力信号を検出し得、端末は、４８０Ｈｚのスキャン検出周波数で、タッチスクリーンを介してスタイラスの入力信号を検出してもよい。第４の周波数および第５の周波数は、代替的に、他の値であってもよい。具体的な内容については、前述の実施形態を参照のこと。詳細は、ここでは再度説明しない。
【０２４０】
可能な場合において、端末が第３の周波数でスタイラスの入力信号を検出すると、検出するときに、端末は、タッチスクリーンを介して第２の検出状態でユーザのタッチ入力を検出する。第２の検出状態では、端末は、第６の周波数では相互静電容量検出方式で、第７の周波数では自己静電容量検出方式でユーザのタッチ入力を検出する。
【０２４１】
例えば、第２の検出状態は、前述の実施形態におけるアイドル状態であってもよい。第６の周波数は、１Ｈｚであってもよい。第７の周波数は、１２０Ｈｚであってもよい。アイドル−６０Ｈｚ状態では、端末は、１Ｈｚ相互静電容量検出周波数および１２０Ｈｚ自己静電容量検出周波数で、タッチスクリーンを介してタッチ操作の入力信号を検出し得、端末は、６０Ｈｚのスキャン検出周波数で、タッチスクリーンを介してスタイラスの入力信号を検出し得る。第６の周波数および第７の周波数は、代替的に、他の値であってもよい。具体的な内容については、前述の実施形態を参照されたい。詳細は、ここでは再度説明しない。
【０２４２】
可能な場合では、端末がタッチスクリーンをオフにするときに、本方法は、さらに、端末がユーザのタッチ入力の検出を停止することを含む。
【０２４３】
例えば、スリープ−５Ｈｚ状態では、端末は、タッチスクリーン上のユーザのタッチ操作の入力信号を検出しなくてもよく、端末は、５Ｈｚのスキャン検出周波数でタッチスクリーンを介してスタイラスの入力信号を検出し得る。具体的な内容については、前述の実施形態を参照されたい。詳細は、ここでは再度説明しない。
【０２４４】
可能な場合では、端末がタッチスクリーンをオフにし、第１の周波数でスタイラスの入力信号を検出すると、検出するときに、端末は、スタイラスの第５の入力を受信する。第５の入力に応答して、端末は、第２の周波数でスタイラスの入力信号を検出し、第５の入力の書き込み内容を保存する。書き込み内容は、スタイラスの手書きまたはスタイラスの手書きから端末によって認識されたテキスト情報を含む。
【０２４５】
例えば、スタイラスの第５の入力は、図１４ａに示す実施形態における入力操作１４１４、または図１４ｃに示す実施形態における入力操作１４３４であってもよい。詳細な内容については、図１４ａ〜図１４ｄに示される実施形態を参照のこと。詳細は、ここでは再度説明しない。
【０２４６】
可能な場合では、端末は、ユーザの第６の入力を受信する。第６の入力に応答して、端末は、スタイラスの入力信号の検出を停止するか、または端末は、第１の周波数でスタイラスの入力信号を検出する。
【０２４７】
例えば、第６の入力は、図９ｃに示すタッチ操作９３３、または図１０ｃに示すスタイラス入力操作１０３３であってもよい。詳細な内容については、図９ａ〜図９ｄまたは図１０ａ〜図１０ｄに示す実施形態を参照のこと。詳細は、ここでは再度説明しない。
【０２４８】
可能な場合において、端末がスタイラスの入力信号の検出を停止するときに、端末はユーザの第７の入力を受信する。第７の入力に応答して、端末は第７の入力を受信する前にスタイラスの入力信号を受信するかどうかを決定する。はいの場合、端末は、第２周波数でスタイラスの入力信号を検出する。いいえの場合、端末は、第１の周波数でスタイラスの入力信号を検出する。
【０２４９】
例えば、第７の入力は、図１１ａに示すタッチ操作１１１３、または図１１ｃに示すタッチ操作１１３３であってもよい。詳細な内容については、図１１ａ〜図１１ｄに示される実施形態を参照のこと。詳細は、ここでは再度説明しない。
【０２５０】
可能な場合では、端末は、ユーザの第８の入力を受信する。第８の入力に応答して、端末は工場設定を復元し、第１の周波数でスタイラスの入力信号を検出する。
【０２５１】
例えば、第８の入力は、図１３ａに示されるタッチ操作１３１２、または図１３ｃに示されるスタイラスの入力操作１３３２であってもよい。詳細な内容については、図１３ａ〜図１３ｄに示される実施形態を参照のこと。詳細は、ここでは再度説明しない。
【０２５２】
可能な場合では、端末は、ユーザの第９の入力を受信する。第９の入力に応答して、端末は再起動する。再起動前に端末によるスタイラスの入力信号を検出した周波数は、再起動後にスタイラスの入力信号を検出する周波数と同じである。
【０２５３】
例えば、第９の入力は、図１２ａに示すタッチ操作１２１３、または図１２ｃに示すスタイラスの入力操作１２３３であってもよい。詳細な内容については、図１２ａ〜図１２ｄに示される実施形態を参照のこと。詳細は、ここでは再度説明しない。
【０２５４】
結論として、前述の実施形態は、この出願の技術的解決策を記載することを単に意図したものであって、この出願を限定するものではない。この出願は、前述の実施形態を参照して詳細に説明されているが、当業者は、この出願の実施形態の技術的解決策の範囲から逸脱することなく、依然として前述の実施形態に説明されている技術的解決策に修正を行ったり、その技術的特徴のいくつかを同等のものに置き換えたりしてもよいと理解すべきである。
【図１】
2022501739.tif 000003
【図２】
2022501739.tif 000004
【図３】
2022501739.tif 000005
【図４】
2022501739.tif 000006
【図５】
2022501739.tif 000007
【図６ａ】
2022501739.tif 000008
【図６ｂ】
2022501739.tif 000009
【図６ｃ】
2022501739.tif 000010
【図７ａ】
2022501739.tif 000011
【図７ｂ】
2022501739.tif 000012
【図７ｃ】
2022501739.tif 000013
【図８ａ】
2022501739.tif 000014
【図８ｂ】
2022501739.tif 000015
【図８ｃ】
2022501739.tif 000016
【図８ｄ】
2022501739.tif 000017
【図９ａ】
2022501739.tif 000018
【図９ｂ】
2022501739.tif 000019
【図９ｃ】
2022501739.tif 000020
【図９ｄ】
2022501739.tif 000021
【図１０ａ】
2022501739.tif 000022
【図１０ｂ】
2022501739.tif 000023
【図１０ｃ】
2022501739.tif 000024
【図１０ｄ】
2022501739.tif 000025
【図１１ａ】
2022501739.tif 000026
【図１１ｂ】
2022501739.tif 000027
【図１１ｃ】
2022501739.tif 000028
【図１１ｄ】
2022501739.tif 000029
【図１２ａ】
2022501739.tif 000030
【図１２ｂ】
2022501739.tif 000031
【図１２ｃ】
2022501739.tif 000032
【図１２ｄ】
2022501739.tif 000033
【図１３ａ】
2022501739.tif 000034
【図１３ｂ】
2022501739.tif 000035
【図１３ｃ】
2022501739.tif 000036
【図１３ｄ】
2022501739.tif 000037
【図１４ａ】
2022501739.tif 000038
【図１４ｂ】
2022501739.tif 000039
【図１４ｃ】
2022501739.tif 000040
【図１４ｄ】
2022501739.tif 000041
【図１５ａ】
2022501739.tif 000042
【図１５ｂ】
2022501739.tif 000043
【図１６ａ】
2022501739.tif 000044
【図１６ｂ】
2022501739.tif 000045
【図１７ａ】
2022501739.tif 000046
【図１７ｂ】
2022501739.tif 000047
【図１８ａ】
2022501739.tif 000048
【図１８ｂ】
2022501739.tif 000049
【図１８ｃ】
2022501739.tif 000050
【図１８ｄ】
2022501739.tif 000051
【図１９ａ】
2022501739.tif 000052
【図１９ｂ】
2022501739.tif 000053
【図１９ｃ】
2022501739.tif 000054
【図１９ｄ】
2022501739.tif 000055
【図２０】
2022501739.tif 000056
【図２１】
2022501739.tif 000057
【図２２】
2022501739.tif 000058
【図２３】
2022501739.tif 000059
【図２４】
2022501739.tif 000060
【図２５】
2022501739.tif 000061
【図２６】
2022501739.tif 000062
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
スタイラス検出方法であって、
端末によって、第１の周波数でスタイラスの入力信号を検出することと、
前記端末によって、タッチスクリーンを介して前記スタイラスの第１の入力を受信することと、
前記端末によって、前記第１の入力に応答して、第２の周波数で前記スタイラスの前記入力信号を検出することと、
前記端末が、前記第２の周波数で前記スタイラスの前記入力信号を検出し、前記端末が前記スタイラスの前記入力信号を検出しない持続時間が第１の期間よりも大きいときに、前記端末によって、第３の周波数で前記スタイラスの前記入力信号を検出することであって、前記第２の周波数は前記第３の周波数よりも大きく、前記第３の周波数は前記第１の周波数よりも大きい、検出することと、を含む、方法。
【請求項２】
当該方法は、前記端末が前記第３の周波数で前記スタイラスの前記入力信号を検出するときに、前記端末が前記スタイラスの前記入力信号を検出しない前記持続時間が第２の期間よりも大きい場合、前記端末によって、前記第１の周波数で前記スタイラスの前記入力信号を検出することを含む、請求項１に記載の方法。
【請求項３】
当該方法、さらに、
前記端末が前記第３の周波数で前記スタイラスの前記入力信号を検出するときに、前記端末が前記スタイラスの第２の入力を受信した場合、前記端末によって、前記スタイラスの前記第２の入力に応答して、前記第２の周波数で前記スタイラスの前記入力信号を検出することを含む、請求項１に記載の方法。
【請求項４】
当該方法は、さらに、
前記端末が前記第２の周波数で前記スタイラスの前記入力信号を検出するときに、前記端末によって、ユーザの第３の入力を受信することと、
前記第３の入力に応答して、前記端末によって、前記タッチスクリーンをオフにし、前記第１の周波数で前記スタイラスの前記入力信号を検出することと、を含む、請求項１に記載の方法。
【請求項５】
当該方法は、さらに、
前記端末によって、前記端末が前記第３の周波数で前記スタイラスの前記入力信号を検出するときに、前記ユーザの第４の入力を受信することと、
前記第４の入力に応答して、前記端末によって、前記タッチスクリーンをオフにし、前記第１の周波数で前記スタイラスの前記入力信号を検出することと、を含む、請求項１に記載の方法。
【請求項６】
前記端末が前記第２の周波数で前記スタイラスの前記入力信号を検出するときに、当該方法は、さらに、
第１の検出状態の前記端末によって、前記タッチスクリーンを介して、ユーザのタッチ入力を検出することであって、前記第１の検出状態において、前記端末は、第４の周波数では相互静電容量検出方式で、第５の周波数では自己静電容量検出方式で前記ユーザの前記タッチ入力を検出する、検出することを含む、請求項１に記載の方法。
【請求項７】
前記端末が前記第３の周波数で前記スタイラスの前記入力信号を検出するときに、当該方法は、さらに、
第２の検出状態の前記端末によって、前記タッチスクリーンを介して、ユーザのタッチ入力を検出することであって、前記第２の検出状態において、前記端末は、第６の周波数では相互静電容量検出方式で、第６の周波数では自己静電容量検出方式で前記ユーザの前記タッチ入力を検出する、検出することを含む、請求項１に記載の方法。
【請求項８】
前記端末が前記タッチスクリーンをオフにするときに、当該方法は、さらに、
前記端末によって、前記ユーザのタッチ入力の検出を停止することを含む、請求項３または４に記載の方法。
【請求項９】
前記方法は、さらに、
前記端末によって、前記端末が前記タッチスクリーンをオフにし、前記第１の周波数で前記スタイラスの前記入力信号を検出するときに、前記スタイラスの第５の入力を受信することと、
前記第５の入力に応答して、前記端末によって、前記第２の周波数で前記スタイラスの前記入力信号を検出し、前記第５の入力の書き込み内容を保存することであって、前記書き込み内容は、前記スタイラスの手書きまたは前記スタイラスの前記手書きから前記端末によって認識されたテキスト情報を含む、ことと、を含む、請求項３または４に記載の方法。
【請求項１０】
前記方法は、さらに、
前記端末によって、前記ユーザの第６の入力を受信することと、
前記第６の入力に応答して、前記端末によって、前記スタイラスの前記入力信号の検出を停止すること、または前記端末によって、前記第１の周波数で前記スタイラスの前記入力信号を検出することと、を含む、請求項１に記載の方法。
【請求項１１】
前記方法は、さらに、
前記端末によって、前記端末が前記スタイラスの前記入力信号の検出を停止するときに、前記ユーザの第７の入力を受信することと、
前記第７の入力に応答して、前記端末によって、前記端末が前記第７の入力を受信する前に前記スタイラスの前記入力信号を受信するかどうかを決定し、前記端末が前記第７の入力を受信する前に前記スタイラスの前記入力信号を受信する場合、前記端末によって、前記第２の周波数で前記スタイラスの前記入力信号を検出すること、または前記端末が前記第７の入力を受信する前に前記スタイラスの前記入力信号を受信しない場合、前記端末によって、前記第１の周波数で前記スタイラスの前記入力信号を検出することと、を含む、請求項１または９に記載の方法。
【請求項１２】
前記方法は、さらに、
前記端末によって、前記ユーザの第８の入力を受信することと、
前記第８の入力に応答して、前記端末によって、工場設定を復元し、前記第１の周波数で前記スタイラスの前記入力信号を検出することと、を含む、請求項１に記載の方法。
【請求項１３】
前記方法は、さらに、
前記端末によって、前記ユーザの第９の入力を受信することと、
前記第９の入力に応答して、端末によって、再起動することであって、再起動前に前記端末によって前記スタイラスの前記入力信号を検出した周波数は、前記再起動後に前記スタイラスの前記入力信号を検出する検出周波数と同じである、再起動することと、を含む、請求項１に記載の方法。
【請求項１４】
１つ以上のプロセッサと１つ以上のメモリとを含む端末であって、前記１つ以上のメモリは、前記１つ以上のプロセッサに結合され、前記１つ以上のメモリは、命令を記憶し、前記命令は、前記１つ以上のプロセッサにより実行されるときに、前記端末に請求項１〜１３のいずれか一項に記載のスタイラス検出方法を実行させる、端末。
【請求項１５】
実行可能な命令を有するコンピュータ記憶媒体であって、前記実行可能な命令は、端末のプロセッサによって実行されるときに、前記端末に請求項１〜１３のいずれか一項に記載のスタイラス検出方法を実行させる、コンピュータ記憶媒体。
【国際調査報告】
2022501739.tif 000063
2022501739.tif 000064
2022501739.tif 000065
2022501739.tif 000066